(57)【特許請求の範囲】
【請求項１】
物体側から順に配置された、負の屈折力を有する第１レンズ群と、正の屈折力を有する第２レンズ群と、第３レンズ群と、から構成され、
少なくとも前記第１レンズ群および前記第２レンズ群を光軸に沿って移動させて、前記各レンズ群の光軸上の間隔を変えることにより広角端から望遠端への変倍を行うズームレンズにおいて、
前記第２レンズ群の最も物体側には正レンズが配置され、
前記第３レンズ群は、少なくとも１枚の正レンズと、少なくとも１枚の負レンズと、を備え、
以下に示す条件式を満足することを特徴とするズームレンズ。
（１）  １．２≦｜ｆ１／ｆｗ｜≦２．５
（２）  ２．０≦ｆ２３ｗ／ｆｗ≦３．４
（３）  １０≦｜ｆ３／ｆｗ｜≦２００
（６）  ６５．０≦νｄ２Ｐ＿ａｖｅ
（１１）  ０．４≦｜ｆ１／ｆ２｜≦０．７７
ただし、ｆ１は前記第１レンズ群の焦点距離、ｆｗは広角端における無限遠物体合焦状態のレンズ全系の焦点距離、ｆ２３ｗは広角端における無限遠物体合焦状態の前記第２レンズ群と前記第３レンズ群との合成焦点距離、ｆ３は前記第３レンズ群の焦点距離、νｄ２Ｐ＿ａｖｅは前記第２レンズ群に含まれる、全ての正レンズのｄ線に対するアッベ数の平均値、ｆ２は前記第２レンズ群の焦点距離を示す。
【請求項２】
前記第１レンズ群と前記第２レンズ群との間に開口絞りが配置され、
前記開口絞りおよび前記第３レンズ群は広角端から望遠端への変倍の際に固定されることを特徴とする請求項１に記載のズームレンズ。
【請求項３】
以下に示す条件式を満足することを特徴とする請求項１または２に記載のズームレンズ。
（４）  １．１≦｜ｆ２３ｗ／ｆ１｜≦２．１
【請求項４】
以下に示す条件式を満足することを特徴とする請求項１〜３のいずれか一つに記載のズームレンズ。
（５）  ５．０≦｜νｄ３Ｐ−νｄ３ｎ| 
ただし、νｄ３Ｐは前記第３レンズ群に含まれる、少なくとも１枚の正レンズのｄ線に対するアッベ数、νｄ３ｎは前記第３レンズ群に含まれる、少なくとも１枚の負レンズのｄ線に対するアッベ数を示す。
【請求項５】
前記第２レンズ群は、少なくとも１枚の負レンズを備え、
以下に示す条件式を満足することを特徴とする請求項１〜４のいずれか一つに記載のズームレンズ。
（７）  ０．０００≦ＰＣｔ＿２ｎ＿ｉ−（０．５４６＋０．００４６７×νｄ＿２ｎ＿ｉ）
ただし、ＰＣｔ＿２ｎ＿ｉは前記第２レンズ群に含まれる、少なくとも１枚の負レンズのＣ線とｔ線に関する部分分散比、νｄ＿２ｎ＿ｉは前記ＰＣｔ＿２ｎ＿ｉの値が算出された負レンズのｄ線に対するアッベ数を示す。
【請求項６】
前記第１レンズ群は、少なくとも１枚の正レンズと、少なくとも２枚の負レンズと、を備え、
以下に示す条件式を満足することを特徴とする請求項１〜５のいずれか一つに記載のズームレンズ。
（８）  νｄ１ｐ≦４０．０
（９）  ０．０００≦ＰＣｔ＿１ｎ＿ｉ−（０．５４６＋０．００４６７×νｄ＿１ｎ＿ｉ）
ただし、νｄ１ｐは前記第１レンズ群に含まれる、少なくとも１枚の正レンズのｄ線に対するアッベ数、ＰＣｔ＿１ｎ＿ｉは前記第１レンズ群に含まれる、少なくとも１枚の負レンズのＣ線とｔ線に関する部分分散比、νｄ＿１ｎ＿ｉは前記ＰＣｔ＿１ｎ＿ｉの値が算出された負レンズのｄ線に対するアッベ数を示す。
【請求項７】
以下に示す条件式を満足することを特徴とする請求項１〜６のいずれか一つに記載のズームレンズ。
（１０）  ０．０００≦ＰＣｔ＿３ｎ＿ｉ−（０．５４６＋０．００４６７×νｄ＿３ｎ＿ｉ）
ただし、ＰＣｔ＿３ｎ＿ｉは前記第３レンズ群に含まれる、少なくとも１枚の負レンズのＣ線とｔ線に関する部分分散比、νｄ＿３ｎ＿ｉは前記ＰＣｔ＿３ｎ＿ｉの値が算出された負レンズのｄ線に対するアッベ数を示す。
【請求項８】
以下に示す条件式を満足することを特徴とする請求項１〜７のいずれか一つに記載のズームレンズ。
（１２）  ０．２≦｜Ｘ２／ｆ２|≦０．９
ただし、Ｘ２は広角端から望遠端への変倍時における前記第２レンズ群の移動量を示す。
【請求項９】
以下に示す条件式を満足することを特徴とする請求項１〜８のいずれか一つに記載のズームレンズ。
（１３）  １．１≦ｆ２３ｔ／ｆｔ≦２．８
ただし、ｆ２３ｔは望遠端における無限遠物体合焦状態の前記第２レンズ群と前記第３レンズ群との合成焦点距離、ｆｔは望遠端における無限遠物体合焦状態のレンズ全系の焦点距離を示す。
【請求項１０】
以下に示す条件式を満足することを特徴とする請求項１〜９のいずれか一つに記載のズームレンズ。
（１４）  ３．２≦｜ｆ３／ｆ２｜≦８０
【請求項１１】
請求項１〜１０のいずれか一つに記載のズームレンズと、該ズームレンズによって形成された光学像を電気的信号に変換する固体撮像素子と、を備えたことを特徴とする撮像装置。
【発明の詳細な説明】
【技術分野】
【０００１】
本発明は、ＣＣＤやＣＭＯＳ等の固体撮像素子が搭載された撮像装置に好適なズームレンズに関する。
【背景技術】
【０００２】
一眼レフカメラ、デジタルスチルカメラ、ビデオカメラ、監視カメラ等、ＣＣＤやＣＯＭＳ等の固体撮像素子が搭載された撮像措置が急速に普及している。これに伴い、ＣＣＤやＣＭＯＳ等の固体撮像素子が搭載された撮像装置に用いることが可能なズームレンズが数多く提案されている（たとえば、特許文献１〜３を参照。）。
【先行技術文献】
【特許文献】
【０００３】
【特許文献１】特開２０１５−０８２０６８号公報
【特許文献２】特開２０１５−０４０９８２号公報
【特許文献３】特許第４０２７３４３号公報
【発明の概要】
【発明が解決しようとする課題】
【０００４】
近年、固体撮像素子の高画素、高感度化が進み、８００万画素以上の固体撮像素子に対応した高解像で、明るい撮影レンズが求められている。また、撮像装置の小型化が進み、撮影レンズの小型、軽量化も望まれている。さらに、ビデオカメラや監視カメラ等、昼夜を問わず使用される撮像装置に搭載することが可能なように、可視光域に限らず、近赤外域を含む広範な波長の光に対応した高性能なズームレンズも求められている。
【０００５】
特許文献１，２に記載のズームレンズは、いずれも、物体側から順に、負・正の屈折力を有するレンズ群が配置されたタイプのレンズ群構成をもつズームレンズである。当該特許文献に記載のズームレンズは、２群構成のため近年ますます高画素化が進む固体撮像素子に対応可能な収差補正能力が十分ではない。
【０００６】
特許文献３に記載のズームレンズは、物体側から順に、負・正・正の屈折力を有するレンズ群が配置されたタイプのレンズ群構成をもつズームレンズである。このズームレンズは、高画素、高感度化が進んだ固体撮像素子に対応可能な光学性能を得るためには、第１レンズ群、第２レンズ群、第３レンズ群の焦点距離の設定が適切ではなく、問題がある。
【０００７】
高画素、高感度化が進んだ固体撮像素子を備えた撮像装置では、従来は問題とされなかったわずかな収差が発生しても画質の低下を招きやすいという問題がある。
【０００８】
本発明は、上述した従来技術による問題点を解消するため、簡易な構成でありながら、大口径比で、高画素、高感度化が進んだ固体撮像素子に対応可能な高い光学性能を備え、特に可視光域から近赤外域までの広範な波長の光に対して発生する諸収差を全変倍域に亘って良好に補正することが可能な、小型のズームレンズを提供することを目的とする。さらに、昼夜を問わず、良好な画像が得られる高性能の撮像装置を提供することを目的とする。
【課題を解決するための手段】
【０００９】
上述した課題を解決し、目的を達成するため、本発明にかかるズームレンズは、物体側から順に配置された、負の屈折力を有する第１レンズ群と、正の屈折力を有する第２レンズ群と、第３レンズ群と、から構成され、少なくとも前記第１レンズ群および前記第２レンズ群を光軸に沿って移動させて、前記各レンズ群の光軸上の間隔を変えることにより広角端から望遠端への変倍を行うズームレンズにおいて、前記第３レンズ群が、少なくとも１枚の正レンズと、少なくとも１枚の負レンズと、を備え、以下に示す条件式を満足することを特徴とする。
（１）  １．２≦｜ｆ１／ｆｗ｜≦２．５
（２）  ２．０≦ｆ２３ｗ／ｆｗ≦３．４
ただし、ｆ１は前記第１レンズ群の焦点距離、ｆｗは広角端における無限遠物体合焦状態のレンズ全系の焦点距離、ｆ２３ｗは広角端における無限遠物体合焦状態の前記第２レンズ群と前記第３レンズ群との合成焦点距離を示す。
【００１０】
本発明によれば、簡易な構成でありながら、大口径比で、高画素、高感度化が進んだ固体撮像素子に対応可能な高い光学性能を備え、特に可視光域から近赤外域までの広範な波長の光に対して発生する諸収差を全変倍域に亘って良好に補正することが可能な、小型のズームレンズを提供することができる。
【００１１】
さらに、本発明にかかるズームレンズは、前記発明において、前記第１レンズ群と前記第２レンズ群との間に開口絞りが配置され、前記開口絞りおよび前記第３レンズ群は広角端から望遠端への変倍の際に固定されることを特徴とする。
【００１２】
本発明によれば、開口絞りと第３レンズ群が変倍時でも固定されているため、変倍機構の簡素化の達成が可能になるとともに、レンズ系の全長を短く維持することができる。
【００１３】
さらに、本発明にかかるズームレンズは、前記発明において、以下に示す条件式を満足することを特徴とする。
（３）  １０≦｜ｆ３／ｆｗ｜≦２００
ただし、ｆ３は前記第３レンズ群の焦点距離を示す。
【００１４】
本発明によれば、高い光学性能を備えた、より小型のズームレンズを提供することができる。
【００１５】
さらに、本発明にかかるズームレンズは、前記発明において、以下に示す条件式を満足することを特徴とする。
（４）  １．１≦｜ｆ２３ｗ／ｆ１｜≦２．１
【００１６】
本発明によれば、レンズ系の全長を短く維持したまま、より光学性能を向上させることができる。
【００１７】
さらに、本発明にかかるズームレンズは、前記発明において、以下に示す条件式を満足することを特徴とする。
（５）  ５．０≦｜νｄ３Ｐ−νｄ３ｎ| 
ただし、νｄ３Ｐは前記第３レンズ群に含まれる、少なくとも１枚の正レンズのｄ線に対するアッベ数、νｄ３ｎは前記第３レンズ群に含まれる、少なくとも１枚の負レンズのｄ線に対するアッベ数を示す。
【００１８】
本発明によれば、第３レンズ群において、全変倍域に亘って、広い波長域の光に対する軸上色収差および倍率色収差を良好に補正することができる。
【００１９】
さらに、本発明にかかるズームレンズは、前記発明において、前記第２レンズ群の最も物体側に正レンズが配置され、以下に示す条件式を満足することを特徴とする。
（６）  ６５．０≦νｄ２Ｐ＿ａｖｅ
ただし、νｄ２Ｐ＿ａｖｅは前記第２レンズ群に含まれる、全ての正レンズのｄ線に対するアッベ数の平均値を示す。
【００２０】
本発明によれば、第２レンズ群において、全変倍域に亘って、可視光域から近赤外域の波長の光に対する軸上色収差および倍率色収差を良好に補正することができる。
【００２１】
さらに、本発明にかかるズームレンズは、前記発明において、前記第２レンズ群が少なくとも１枚の負レンズを備え、以下に示す条件式を満足することを特徴とする。
（７）  ０．０００≦ＰＣｔ＿２ｎ＿ｉ−（０．５４６＋０．００４６７×νｄ＿２ｎ＿ｉ）
ただし、ＰＣｔ＿２ｎ＿ｉは前記第２レンズ群に含まれる、少なくとも１枚の負レンズのＣ線とｔ線に関する部分分散比、νｄ＿２ｎ＿ｉは前記ＰＣｔ＿２ｎ＿ｉの値が算出された負レンズのｄ線に対するアッベ数を示す。
【００２２】
本発明によれば、第２レンズ群において、全変倍域に亘って、Ｃ線からｔ線までの近赤外域を含む波長域の光に対する軸上色収差および倍率色収差を良好に補正することができる。
【００２３】
さらに、本発明にかかるズームレンズは、前記発明において、前記第１レンズ群が、少なくとも１枚の正レンズと、少なくとも２枚の負レンズと、を備え、以下に示す条件式を満足することを特徴とする。
（８）  νｄ１ｐ≦４０．０
（９）  ０．０００≦ＰＣｔ＿１ｎ＿ｉ−（０．５４６＋０．００４６７×νｄ＿１ｎ＿ｉ）
ただし、νｄ１ｐは前記第１レンズ群に含まれる、少なくとも１枚の正レンズのｄ線に対するアッベ数、ＰＣｔ＿１ｎ＿ｉは前記第１レンズ群に含まれる、少なくとも１枚の負レンズのＣ線とｔ線に関する部分分散比、νｄ＿１ｎ＿ｉは前記ＰＣｔ＿１ｎ＿ｉの値が算出された負レンズのｄ線に対するアッベ数を示す。
【００２４】
本発明によれば、第１レンズ群において、全変倍域に亘って、Ｃ線からｔ線までの近赤外域を含む波長域の光に対する軸上色収差および倍率色収差を良好に補正することができる。
【００２５】
さらに、本発明にかかるズームレンズは、前記発明において、以下に示す条件式を満足することを特徴とする。
（１０）  ０．０００≦ＰＣｔ＿３ｎ＿ｉ−（０．５４６＋０．００４６７×νｄ＿３ｎ＿ｉ）
ただし、ＰＣｔ＿３ｎ＿ｉは前記第３レンズ群に含まれる、少なくとも１枚の負レンズのＣ線とｔ線に関する部分分散比、νｄ＿３ｎ＿ｉは前記ＰＣｔ＿３ｎ＿ｉの値が算出された負レンズのｄ線に対するアッベ数を示す。
【００２６】
本発明によれば、第３レンズ群において、全変倍域に亘って、Ｃ線からｔ線までの近赤外域を含む波長域の光に対する軸上色収差および倍率色収差を良好に補正することができる。
【００２７】
さらに、本発明にかかるズームレンズは、前記発明において、以下に示す条件式を満足することを特徴とする。
（１１）  ０．４≦｜ｆ１／ｆ２｜≦１．１
ただし、ｆ２は前記第２レンズ群の焦点距離を示す。
【００２８】
本発明によれば、明るいレンズ系が得られるとともに、第１レンズ群の変倍に伴う移動量を適切に設定することができ、変倍に伴う非点収差や像面湾曲の発生を抑制することができる。
【００２９】
さらに、本発明にかかるズームレンズは、前記発明において、以下に示す条件式を満足することを特徴とする。
（１２）  ０．２≦｜Ｘ２／ｆ２|≦０．９
ただし、Ｘ２は広角端から望遠端への変倍時における前記第２レンズ群の移動量、ｆ２は前記第２レンズ群の焦点距離を示す。
【００３０】
本発明によれば、変倍時の第２レンズ群の移動量と第２レンズ群の屈折力とを適切に設定して、変倍時の球面収差、像面湾曲の変動を適切に補正することができる。
【００３１】
さらに、本発明にかかるズームレンズは、前記発明において、以下に示す条件式を満足することを特徴とする。
（１３）  １．１≦ｆ２３ｔ／ｆｔ≦２．８
ただし、ｆ２３ｔは望遠端における無限遠物体合焦状態の前記第２レンズ群と前記第３レンズ群との合成焦点距離、ｆｔは望遠端における無限遠物体合焦状態のレンズ全系の焦点距離を示す。
【００３２】
本発明によれば、望遠端における無限遠物体合焦状態の第２レンズ群と第３レンズ群との合成焦点距離を適切に設定して、レンズ系の望遠端における無限遠物体合焦状態で発生する球面収差、コマ収差、像面湾曲を適切に補正することができる。
【００３３】
さらに、本発明にかかるズームレンズは、前記発明において、以下に示す条件式を満足することを特徴とする。
（１４）  ３．２≦｜ｆ３／ｆ２｜≦８０
ただし、ｆ２は前記第２レンズ群の焦点距離、ｆ３は前記第３レンズ群の焦点距離を示す。
【００３４】
本発明によれば、変倍時の第２レンズ群の移動に伴って発生する非点収差や像面湾曲を効果的に抑制することができる。
【００３５】
また、本発明にかかる撮像装置は、前記発明におけるズームレンズと、該ズームレンズによって形成された光学像を電気的信号に変換する固体撮像素子と、を備えたことを特徴とする。
【００３６】
本発明によれば、昼夜を問わず、良好な画像が得られる高性能の撮像装置を提供することができる。
【発明の効果】
【００３７】
本発明によれば、簡易な構成でありながら、大口径比で、高画素、高感度化が進んだ固体撮像素子に対応可能な高い光学性能を備え、特に可視光域から近赤外域までの広範な波長の光に対して発生する諸収差を全変倍域に亘って良好に補正することが可能な、小型のズームレンズを提供することができるという効果を奏する。
【００３８】
さらに、本発明によれば、昼夜を問わず、良好な画像が得られる高性能の撮像装置を提供することができるという効果を奏する。
【図面の簡単な説明】
【００３９】
【図１】Ｃ線とｔ線に対する異常分散性について説明するためのグラフである。
【図２】実施例１にかかるズームレンズの構成を示す光軸に沿う断面図である。
【図３】実施例１にかかるズームレンズの諸収差図である。
【図４】実施例２にかかるズームレンズの構成を示す光軸に沿う断面図である。
【図５】実施例２にかかるズームレンズの諸収差図である。
【図６】実施例３にかかるズームレンズの構成を示す光軸に沿う断面図である。
【図７】実施例３にかかるズームレンズの諸収差図である。
【図８】実施例４にかかるズームレンズの構成を示す光軸に沿う断面図である。
【図９】実施例４にかかるズームレンズの諸収差図である。
【図１０】実施例５にかかるズームレンズの構成を示す光軸に沿う断面図である。
【図１１】実施例５にかかるズームレンズの諸収差図である。
【図１２】実施例６にかかるズームレンズの構成を示す光軸に沿う断面図である。
【図１３】実施例６にかかるズームレンズの諸収差図である。
【図１４】実施例７にかかるズームレンズの構成を示す光軸に沿う断面図である。
【図１５】実施例７にかかるズームレンズの諸収差図である。
【図１６】実施例８にかかるズームレンズの構成を示す光軸に沿う断面図である。
【図１７】実施例８にかかるズームレンズの諸収差図である。
【図１８】本発明にかかるズームレンズを備えた撮像装置の一例を示す図である。
【発明を実施するための形態】
【００４０】
以下、本発明にかかるズームレンズおよび撮像装置の好適な実施の形態を詳細に説明する。
【００４１】
高画素、高感度化が進んだ固体撮像素子を備えた撮像装置では、従来は問題とされなかったわずかな収差が発生しても画質の低下を招きやすい。そこで、本発明では、簡易な構成でありながら、大口径比で、高画素、高感度化が進んだ固体撮像素子を備えた撮像装置であっても画質の低下を招くことがない、高い光学性能を備えたズームレンズを提供しようとするものである。特に、監視カメラ等昼夜を問わず使用される撮像装置にも用いることができるように、可視光域のみならず近赤外域までの広範な波長の光に対して発生する諸収差を全変倍域に亘って良好に補正することが可能な、高い光学性能を備えたズームレンズを提供することを目的としている。そこで、かかる目的を達成すべく、本発明では、以下に示すような各種条件を設定している。
【００４２】
本発明にかかるズームレンズは、物体側から順に配置された、負の屈折力を有する第１レンズ群と、正の屈折力を有する第２レンズ群と、正または負の屈折力を有する第３レンズ群と、から構成される。そして、少なくとも第１レンズ群および第２レンズ群を光軸に沿って移動させて、各レンズ群の光軸上の間隔を変えることにより広角端から望遠端への変倍を行う。また、第１レンズ群を光軸に沿って移動させることにより、無限遠物体合焦状態から最至近距離物体合焦状態へのフォーカシングを行う。
【００４３】
本発明では、第２レンズ群より像側に第３レンズ群を設けることで、より高い収差補正効果が得られ、非常に高い解像度を有するズームレンズを実現することが可能である。また、第３レンズ群は、少なくとも１枚の正レンズと、少なくとも１枚の負レンズと、を備えている。第３レンズ群は、正レンズと負レンズを最低１枚ずつ備えていることが必要である。この要件を満足しさえすれば、複数枚の正レンズと１枚の負レンズ、１枚の正レンズと複数枚の負レンズ、または複数枚の正レンズと複数枚の負レンズを備えた構成になってもよい。第３レンズ群が少なくとも１枚の正レンズと、少なくとも１枚の負レンズと、を備えていることにより、正レンズの正の屈折力と負レンズの負の屈折力とで球面収差、像面湾曲と軸上色収差、倍率色収差の補正を行い、中心と周辺像高の諸収差のバランスを整えることができる。
【００４４】
なお、本発明では、レンズの実質枚数は、ほとんど屈折力を有していない光学フィルターや平行平面板や、収差補正能力をほとんど有していない焦点距離の長いレンズを除いて数えることとする。また、球面レンズに非球面形状の樹脂やフィルムを貼設することによって片面または両面に非球面が形成された複合レンズは１枚のレンズと考える。２枚のレンズが接合されている接合レンズは２枚のレンズと考える。
【００４５】
本発明にかかるズームレンズでは、上記構成を前提に、第１レンズ群の焦点距離をｆ１、広角端における無限遠物体合焦状態のレンズ全系の焦点距離をｆｗ、広角端における無限遠物体合焦状態の前記第２レンズ群と前記第３レンズ群との合成焦点距離をｆ２３ｗとするとき、次の条件式を満足することが好ましい。
（１）  １．２≦｜ｆ１／ｆｗ｜≦２．５
（２）  ２．０≦ｆ２３ｗ／ｆｗ≦３．４
【００４６】
条件式（１），（２）を満足することにより、簡易な構成でありながら、大口径比で、高画素の固体撮像素子に対応可能な高い光学性能を備え、特に可視光域から近赤外域までの広範な波長の光に対して発生する諸収差を全変倍域に亘って良好に補正することが可能な、小型のズームレンズを実現することができる。
【００４７】
条件式（１）は、広角端における無限遠合焦時のレンズ全系の焦点距離と、第１レンズ群の焦点距離との比の絶対値を規定するものである。条件式（１)を満足することで、第１レンズ群の焦点距離を適切に設定し、球面収差、像面湾曲を適切に補正して明るいレンズ系を得ることができる。
【００４８】
条件式（１）においてその下限を下回ると、第１レンズ群の焦点距離が短くなりすぎて、第１レンズ群において球面収差や像面湾曲の発生が顕著になり、明るく良好な光学性能を備えたレンズ系の実現が困難になる。一方、条件式（１）においてその上限を上回ると、第１レンズ群の焦点距離が長くなりすぎて、各収差の補正が不足し、またレンズ口径が拡大するとともにレンズ全長が長くなって、小型で高性能のレンズ系を得ることが困難になる。
【００４９】
なお、上記条件式（１）は、次に示す範囲を満足すると、より好ましい効果が期待できる。
（１ａ）  １．３≦｜ｆ１／ｆｗ｜≦２．２
【００５０】
また、上記条件式（１ａ）は、次に示す範囲を満足すると、さらに好ましい効果が期待できる。
（１ｂ）  １．５≦｜ｆ１／ｆｗ｜≦２．０
【００５１】
また、条件式（２）は、広角端における無限遠合焦時のレンズ全系の焦点距離と、広角端における無限遠物体合焦状態の第２レンズ群と第３レンズ群との合成焦点距離との比を規定するものである。条件式（２）を満足することで、広角端における無限遠物体合焦状態の第２レンズ群と第３レンズ群との合成焦点距離を適切に設定し、小型で、広角端において明るいレンズ系が得られるとともに、球面収差、コマ収差、像面湾曲、軸上色収差を適切に補正することができる。
【００５２】
条件式（２）においてその下限を下回ると、広角端における無限遠物体合焦状態の第２レンズ群と第３レンズ群との合成焦点距離が短くなりすぎて、広角端において球面収差、コマ収差、像面湾曲の補正が過剰になるため、適切な収差補正を行うことが困難になる。一方、条件式（２）においてその上限を上回ると、広角端における無限遠物体合焦状態の第２レンズ群と第３レンズ群との合成焦点距離が長くなりすぎて、広角端において球面収差、コマ収差、像面湾曲、軸上色収差が補正不足になるとともにレンズ系の全長が長くなり、小型で良好な光学性能を得ることが困難になる。
【００５３】
なお、上記条件式（２）は、次に示す範囲を満足すると、より好ましい効果が期待できる。
（２ａ）  ２．２≦ｆ２３ｗ／ｆｗ≦３．３
【００５４】
また、上記条件式（２ａ）は、次に示す範囲を満足すると、さらに好ましい効果が期待できる。
（２ｂ）  ２．４≦ｆ２３ｗ／ｆｗ≦２．７
【００５５】
さらに、本発明にかかるズームレンズでは、第１レンズ群と第２レンズ群との間に開口絞りを配置する。そして、広角端から望遠端への変倍の際に、開口絞りおよび第３レンズ群は固定されることが好ましい。このようにすることで、変倍時に移動するのは第１レンズ群と第２レンズ群のみになり、変倍機構の簡略化が可能になるとともに、レンズ系の全長を短く維持することができる。
【００５６】
さらに、本発明にかかるズームレンズでは、第３レンズ群の焦点距離をｆ３、広角端における無限遠物体合焦状態のレンズ全系の焦点距離をｆｗとするとき、次の条件式を満足することが好ましい。
（３）  １０≦｜ｆ３／ｆｗ｜≦２００
【００５７】
条件式（３）は、広角端における無限遠物体合焦状態のレンズ全系の焦点距離と、第３レンズ群の焦点距離との比の絶対値を規定するものである。条件式（３）を満足することで、第３レンズ群の屈折力の範囲を適切に設定し、球面収差、像面湾曲、軸上色収差を良好に補正することができる。
【００５８】
条件式（３）においてその下限を下回ると、第３レンズ群の焦点距離が短くなりすぎて、球面収差、像面湾曲の補正が過剰になり、良好な光学性能を得ることが困難になる。一方、条件式（３）においてその上限を上回ると、第３レンズ群の焦点距離が長くなりすぎて、球面収差、像面湾曲、軸上色収差の補正が不足し、良好な光学性能を得ることが困難になる。加えて、第３レンズ群の焦点距離が長くなりすぎることでレンズ系の全長が伸び、レンズ系の小型化が困難になる。
【００５９】
なお、上記条件式（３）は、次に示す範囲を満足すると、より好ましい効果が期待できる。
（３ａ）  ２０≦｜ｆ３／ｆｗ｜≦１７０
【００６０】
また、上記条件式（３ａ）は、次に示す範囲を満足すると、さらに好ましい効果が期待できる。
（３ｂ）  ５０≦｜ｆ３／ｆｗ｜≦１００
【００６１】
さらに、本発明にかかるズームレンズでは、広角端における無限遠物体合焦状態の第２レンズ群と第３レンズ群との合成焦点距離をｆ２３ｗ、第１レンズ群の焦点距離をｆ１とするとき、次の条件式を満足することが好ましい。
（４）  １．１≦｜ｆ２３ｗ／ｆ１｜≦２．１
【００６２】
条件式（４）は、第１レンズ群の焦点距離と、広角端における無限遠物体合焦状態の第２レンズ群と第３レンズ群との合成焦点距離との比の絶対値を規定するものである。条件式（４）を満足することで、広角端における無限遠物体合焦状態の第２レンズ群と第３レンズ群との合成焦点距離を適切に設定して、第１レンズ群で発生する球面収差、非点収差、軸上色収差を第２レンズ群および第３レンズ群で適切に補正することができる。
【００６３】
条件式（４）においてその下限を下回ると、広角端における無限遠物体合焦状態の第２レンズ群と第３レンズ群との合成焦点距離が短くなりすぎて、球面収差、非点収差、軸上色収差の補正が過剰になるため、適切な収差補正を行うことが困難になる。一方、条件式（４）においてその上限を上回ると、広角端における無限遠物体合焦状態の第２レンズ群と第３レンズ群との合成焦点距離が長くなりすぎて、球面収差、非点収差、軸上色収差の補正が不足するため、良好な光学性能を得ることが困難になる。加えて、広角端における無限遠物体合焦状態の第２レンズ群と第３レンズ群との合成焦点距離が長くなることでレンズ系の全長が伸び、レンズ系の小型化が困難になる。
【００６４】
なお、上記条件式（４）は、次に示す範囲を満足すると、より好ましい効果が期待できる。
（４ａ）  １．２≦｜ｆ２３ｗ／ｆ１｜≦１．８
【００６５】
また、上記条件式（４ａ）は、次に示す範囲を満足すると、さらに好ましい効果が期待できる。
（４ｂ）  １．３≦｜ｆ２３ｗ／ｆ１｜≦１．６
【００６６】
さらに、本発明にかかるズームレンズでは、第３レンズ群に含まれる、少なくとも１枚の正レンズのｄ線（５８７．５６ｎｍ）に対するアッベ数をνｄ３Ｐ、第３レンズ群に含まれる、少なくとも１枚の負レンズのｄ線に対するアッベ数をνｄ３ｎとするとき、次の条件式を満足することが好ましい。
（５）  ５．０≦｜νｄ３Ｐ−νｄ３ｎ| 
【００６７】
条件式（５）は、第３レンズ群に含まれる、少なくとも１枚の正レンズのｄ線に対するアッベ数と、第３レンズ群に含まれる、少なくとも１枚の負レンズのｄ線に対するアッベ数との差の絶対値を規定するものである。条件式（３）を満足することで、第３レンズ群において、全変倍域に亘って、可視光域のみならず近赤外域までの広範な波長の光に対して発生する軸上色収差、倍率色収差を良好に補正することができる。
【００６８】
条件式（５）においてその下限を下回ると、軸上色収差、倍率色収差の補正が不足し、良好な光学性能を得ることが困難になる。
【００６９】
条件式（５）においてあえて上限を設けていないのは、一般的な硝材でレンズを形成すれば、条件式（５）の上限値が大きくなりすぎることによる不都合が発生するおそれが極めて少ないためである。しかし、特殊な硝材を選択して第３レンズ群内に配置する正レンズと負レンズを形成する場合には、第３レンズ群に含まれる正レンズと負レンズのｄ線に対するアッベ数の差が大きくなりすぎる、すなわち条件式（５）の値が極めて大きくなってしまうこともあり得る。この場合、広い波長域の光に対する軸上色収差、倍率色収差の補正が過剰になって、良好な光学性能を得ることが困難になることが危惧される。
【００７０】
そこで、上記条件式（５）は、次に示す範囲を満足すると、より好ましい効果が期待できる。
（５ａ）  １０．０≦｜νｄ３Ｐ−νｄ３ｎ|≦５０．０
【００７１】
また、上記条件式（５ａ）は、次に示す範囲を満足すると、さらに好ましい効果が期待できる。
（５ｂ）  １２．０≦｜νｄ３Ｐ−νｄ３ｎ|≦２０．０
【００７２】
また、本発明にかかるズームレンズにおいて、第３レンズ群を、物体側から順に配置された、正レンズと、負レンズと、からなる接合レンズで構成すると、少ないレンズ枚数で効果的に軸上色収差、倍率色収差の補正を行うことができる。また、当該接合レンズの接合面が像面側に凸形状になるようにすることで、ゴーストの発生を効果的に抑制することができる。
【００７３】
第３レンズ群は、接合レンズを用いて構成した方がレンズ系の小型化には好ましい。しかし、１枚の正レンズと１枚の負レンズとを含んでいることを前提に、間に空気層がある３枚もしくは４枚のレンズで第３レンズ群を構成しても良好な光学性能が得られる。さらに、第３レンズ群を構成するレンズの少なくとも１面に非球面を形成することにより、明るいレンズ系において球面収差と像面湾曲の補正をより効果的に行うことが可能になる。
【００７４】
以上のように第３レンズ群を構成することにより、第１レンズ群と第２レンズ群で発生する諸収差を第３レンズ群で良好に補正することができ、良好な性能が得られる。
【００７５】
さらに、本発明にかかるズームレンズでは、第２レンズ群の最も物体側に正レンズを配置することで、第２レンズ群のレンズ口径を小さくすることができる。加えて、当該第２レンズ群に含まれる、全ての正レンズのｄ線に対するアッベ数の平均値をνｄ２Ｐ＿ａｖｅとするとき、次の条件式を満足することが好ましい。
（６）  ６５．０≦νｄ２Ｐ＿ａｖｅ
【００７６】
条件式（６）は、第２レンズ群に含まれる、すべての正レンズのｄ線に対するアッベ数の平均値を規定するものである。条件式（６）を満足することで、第２レンズ群において、全変倍域に亘って、可視光域から近赤外域の波長の光に対する軸上色収差および倍率色収差を良好に補正することができる。
【００７７】
条件式（６）においてその下限を下回ると、第２レンズ群中の正レンズの分散が大きくなりすぎて、全変倍域で可視光域から近赤外域の波長に光に対する軸上色収差、倍率色収差の発生が顕著になり、良好な光学性能を得ることが困難になる。
【００７８】
条件式（６）においてあえて上限を設けていないのは、一般的な硝材でレンズを形成すれば、条件式（６）の上限値が大きくなりすぎることによる不都合が発生するおそれが極めて少ないためである。しかし、特殊な硝材を選択して第２レンズ群内に配置する正レンズを形成する場合には、第２レンズ群に含まれるすべての正レンズのｄ線に対するアッベ数の平均値が大きくなりすぎる、すなわち条件式（６）の値が極めて大きくなってしまうこともあり得る。この場合、広い波長域の光に対する軸上色収差、倍率色収差の補正が過剰になって、良好な光学性能を得ることが困難になることが危惧される。
【００７９】
そこで、上記条件式（６）は、次に示す範囲を満足すると、より好ましい効果が期待できる。
（６ａ）  ６５．０≦νｄ２Ｐ＿ａｖｅ≦１００．０
【００８０】
また、上記条件式（６ａ）は、次に示す範囲を満足すると、さらに好ましい効果が期待できる。
（６ｂ）  ７０．０≦νｄ２Ｐ＿ａｖｅ≦８５．０
【００８１】
なお、本発明にかかるズームレンズにおいて、第２レンズ群の最も物体側に配置される正レンズの少なくとも１面に非球面を形成することで、球面収差、コマ収差、像面湾曲をより良好に補正することができる。また、第２レンズ群に少なくとも１組の接合レンズを備えることで、軸上色収差、倍率色収差の補正効果がさらに向上する。さらに、第２レンズ群を、少なくとも３枚の正レンズと、少なくとも１枚の負レンズを備えて構成すれば、諸収差をより適切に補正して高解像化を実現することができる。
【００８２】
ところで、レンズ系において、長波長領域の光に対する光学性能を維持するために最も危惧されるのは色収差である。色収差は、レンズ硝材の分散が原因となって色ズレとして発生する収差であり、長波長領域の光に対して良好な色収差補正を行うためには、長波長領域の光に対する部分分散比を適切に設定する必要がある。
【００８３】
部分分散比とは、部分分散を主分散で割った値である。主分散とは基準となる２つの波長での屈折率の差のことを云い、部分分散とは他の２つの波長の屈折率の差のことを云う。
【００８４】
ここで、各スペクトル線とその波長をｔ線（１０１３．９８ｎｍ）、Ｃ線（６５６．２７ｎｍ）、ｄ線（５８７．５６ｎｍ）、Ｆ線（４８６．１３ｎｍ）、ｇ線（４３５．８４ｎｍ）とし、任意の文字ｘ，ｙを各スペクトル線に対応させたとき、ｘ線，ｙ線に対するそれぞれの屈折率をｎｘ，ｎｙと定義する。たとえば、ｄ線に対する屈折率はｎｄ、Ｆ線に対する屈折率はｎＦと表される。さらに、ｘ線とｙ線に対する部分分散比をＰｘｙとするとき、Ｐｘｙ＝（ｎｘ−ｎｙ）／（ｎＦ−ｎＣ)と定義する。たとえば、Ｃ線とｔ線に対する部分分散比ＰＣｔは、ＰＣｔ＝（ｎＣ−ｎｔ）／（ｎＦ−ｎＣ）と表される。
【００８５】
さらに、長波長領域の光に対する色収差補正を向上させるためには、各レンズ群に含まれる負レンズの長波長領域の光に対する異常分散性を適切に設定するとよい。一般の光学素子において、アッベ数を横軸に、部分分散比を縦軸にとったグラフを作成すると、ある直線上に乗る性質があるが、直線上に乗らないものを異常分散性という。
【００８６】
ここで、Ｃ線とｔ線に対する異常分散性について説明する。図１は、Ｃ線とｔ線に対する異常分散性について説明するためのグラフである。図１に示すように、まず、ＸＹ座標平面上において、ｄ線に対するアッベ数νｄをＸ軸、Ｃ線とｔ線に対する部分分散比ＰＣｔをＹ軸に取る。そして、Ｃ線とｔ線に関する２つの基準硝材に対して座標平面上の２点を定め、その２点を結ぶ直線を「Ｃ線とｔ線に関する標準線Ｃｔ」と定義する。本発明では、標準線Ｃｔを傾き０．００４６７、切片０．５４６の直線として 「標準線Ｃｔ：Ｐｃｔ＝０．５４６＋０．００４６７×νｄ」と定める。これにより、Ｃ線とｔ線に関する異常分散性を、与えられた硝材の（νｄ，ＰＣｔ）に対して、標準線ＣｔからのＰＣｔの偏差ΔＰＣｔが異常分散性の値と定義できる。たとえば、任意の硝材ｉのｄ線に対するアッベ数をνｄ＿ｉ、Ｃ線とｔ線に対する部分分散比ＰＣｔ＿ｉとするとき、任意の硝材ｉのＣ線とｔ線に関する異常分散性ΔＰＣｔ＿ｉは、ΔＰＣｔ＿ｉ＝ＰＣｔ＿ｉ−（０．５４６＋０．００４７×νｄ＿ｉ） と計算できる。このように定義したΔＰＣｔ＿ｉが、Ｃ線とｔ線に関する異常分散性を表す。
【００８７】
近赤外域の色収差補正まで考えたレンズ系の場合、各レンズ群で使用する負レンズの異常分散性に関して、ΔＰＣｔ＝ＰＣｔ−（０．５４６＋０．００４６７×νｄ）≧０の硝材を用いることが望ましい。ΔＰＣｔ≧０の硝材は、νｄが比較的大きな低分散側でＣ線からｔ線までの分散（ｎＣ−ｎｔ）が小さくなる傾向があるため、負レンズで発生するＣ線からｔ線までの色収差が抑えられ、色収差を補正するために配置する正レンズに適切な異常分散性をもたせることで可視光域から近赤外域までの広範囲の波長の光に対して色収差の補正が可能になるからである。
【００８８】
そこで、本発明にかかるズームレンズでは、第２レンズ群が少なくとも１枚の負レンズを備えていることを前提に、第２レンズ群に含まれる、少なくとも１枚の負レンズのＣ線とｔ線に関する部分分散比をＰＣｔ＿２ｎ＿ｉ、該ＰＣｔ＿２ｎ＿ｉの値が算出された負レンズのｄ線に対するアッベ数をνｄ＿２ｎ＿ｉとするとき、次の条件式を満足することが好ましい。
（７）  ０．０００≦ＰＣｔ＿２ｎ＿ｉ−（０．５４６＋０．００４６７×νｄ＿２ｎ＿ｉ）
【００８９】
条件式（７）は、第２レンズ群に含まれる、負レンズのＣ線とｔ線に対する異常分散性を規定するものである。条件式（７）を満足することで、第２レンズ群においてＣ線からｔ線までの近赤外域を含む波長域の光に対する軸上色収差、倍率色収差を良好の補正することができる。なお、第２レンズ群が複数枚の負レンズを含んでいる場合は、いずれか１枚の負レンズを選択し、当該負レンズに対して算出したＰＣｔ＿２ｎ＿ｉ，νｄ＿２ｎ＿ｉの値が条件式（７）を満足していればよい。
【００９０】
条件式（７）においてその下限を下回ると、第２レンズ群に含まれる負レンズの異常分散性が小さくなりすぎ、ｔ線を含む波長域の光に対する軸上色収差、倍率色収差の発生が顕著になるため、近赤外域を含む波長域の光に対して良好な光学性能を得ることが困難になる。
【００９１】
条件式（７）においてあえて上限を設けていないのは、一般的な硝材でレンズを形成すれば、条件式（７）の上限値が大きくなりすぎることによる不都合が発生するおそれが極めて少ないためである。しかし、特殊な硝材を選択して第２レンズ群に含まれる負レンズを形成する場合には、当該負レンズの異常分散性が大きくなりすぎる、すなわち条件式（７）の値が極めて大きくなってしまうこともあり得る。この場合、ｔ線を含む波長域の光に値する色収差の補正が過剰になって、近赤外域を含む波長域の光に対して良好な光学性能を得ることが困難になることが危惧される。
【００９２】
そこで、上記条件式（７）は、次に示す範囲を満足すると、より好ましい効果が期待できる。
（７ａ）  ０．００１≦ＰＣｔ＿２ｎ＿ｉ−（０．５４６＋０．００４６７×νｄ＿２ｎ＿ｉ）≦０．０５
【００９３】
また、上記条件式（７ａ）は、次に示す範囲を満足すると、さらに好ましい効果が期待できる。
（７ｂ）  ０．００１５≦ＰＣｔ＿２ｎ＿ｉ−（０．５４６＋０．００４６７×νｄ＿２ｎ＿ｉ）≦０．０４
【００９４】
また、上記条件式（７ｂ）は、次に示す範囲を満足すると、さらに好ましい効果が期待できる。
（７ｃ）  ０．００２≦ＰＣｔ＿２ｎ＿ｉ−（０．５４６＋０．００４６７×νｄ＿２ｎ＿ｉ）≦０．０３
【００９５】
さらに、本発明にかかるズームレンズでは、第１レンズ群が、少なくとも１枚の正レンズと、少なくとも２枚の負レンズと、を備えていることを前提に、第１レンズ群に含まれる、少なくとも１枚の正レンズのｄ線に対するアッベ数をνｄ１ｐ、第１レンズ群に含まれる、少なくとも１枚の負レンズのＣ線とｔ線に関する部分分散比をＰＣｔ＿１ｎ＿ｉ、該ＰＣｔ＿１ｎ＿ｉの値が算出された負レンズのｄ線に対するアッベ数をνｄ＿１ｎ＿ｉとするとき、次の条件式を満足することが好ましい。
（８）  νｄ１ｐ≦４０．０
（９）  ０．０００≦ＰＣｔ＿１ｎ＿ｉ−（０．５４６＋０．００４６７×νｄ＿１ｎ＿ｉ）
【００９６】
条件式（８）は、第１レンズ群に含まれる、少なくとも１枚の正レンズのｄ線に対するアッベ数を規定するものである。条件式(８)を満足することで、主に可視光域の波長の光に対する軸上色収差、倍率色収差を良好に補正することができる。第１レンズ群が複数枚の正レンズを備えている場合は、いずれか１枚が条件式（８）を満足していればよい。
【００９７】
条件式（８）においてその下限を下回ると、可視光域の波長の光に対する軸上色収差、倍率色収差の発生が顕著になり、特に変倍の際に発生する色収差を抑えることが難しく、良好な光学性能を得ることが困難になる。
【００９８】
条件式（８）においてあえて下限を設けていないのは、一般的な硝材でレンズを形成すれば、条件式（８）の下限値が小さくなりすぎることによる不都合が発生するおそれが極めて少ないためである。しかし、特殊な硝材を選択して第１レンズ群に含まれる正レンズを形成する場合には、当該正レンズのｄ線に対するアッベ数が小さくなりすぎる、すなわち条件式（８）の値が極めて小さくなってしまうこともあり得る。この場合、可視光域の波長の光に対する軸上色収差、倍率色収差の補正が過剰になって、良好な光学性能を得ることが困難になることが危惧される。
【００９９】
そこで、上記条件式（８）は、次に示す範囲を満足すると、より好ましい効果が期待できる。
（８ａ）  １０．０≦νｄ１ｐ≦３８．０
【０１００】
また、上記条件式（８ａ）は、次に示す範囲を満足すると、さらに好ましい効果が期待できる。
（８ｂ）  １７．０≦νｄ１ｐ≦３６．０
【０１０１】
条件式（９）は、第１レンズ群に含まれる、負レンズのＣ線とｔ線に対する異常分散性を規定するものである。条件式（９）を満足することで、第１レンズ群においてＣ線からｔ線までの近赤外域を含む波長域の光の軸上色収差、倍率色収差を良好に補正することができる。なお、第１レンズ群は少なくとも２枚の負レンズを備えているので、いずれか１枚の負レンズを選択し、当該負レンズに対して算出したＰＣｔ＿１ｎ＿ｉ、νｄ＿１ｎ＿ｉの値が条件式（９）を満足していればよい。
【０１０２】
条件式（９）においてその下限を下回ると、第１レンズ群に含まれる負レンズのＣ線とｔ線に対する異常分散性が小さくなりすぎて、ｔ線を含む波長域の光に対する軸上色収差、倍率色収差の発生が顕著になるため、近赤外域を含む波長域の光に対して良好な光学性能を得ることが困難になる。
【０１０３】
条件式（９）においてあえて上限を設けていないのは、一般的な硝材でレンズを形成すれば、条件式（９）の上限値が大きくなりすぎることによる不都合が発生するおそれが極めて少ないためである。しかし、特殊な硝材を選択して第１レンズ群に含まれる負レンズを形成する場合には、当該負レンズの異常分散性が大きくなりすぎる、すなわち条件式（９）の値が極めて大きくなってしまうこともあり得る。この場合、ｔ線を含む波長域の光に対する色収差の補正が過剰になって、近赤外域を含む波長域の光に対して良好な光学性能を得ることが困難になることが危惧される。
【０１０４】
そこで、上記条件式（９）は、次に示す範囲を満足すると、より好ましい効果が期待できる。
（９ａ）  ０．００１≦ＰＣｔ＿１ｎ＿ｉ−（０．５４６＋０．００４６７×νｄ＿１ｎ＿ｉ）≦０．０５
【０１０５】
また、上記条件式（９ａ）は、次に示す範囲を満足すると、さらに好ましい効果が期待できる。
（９ｂ）  ０．００１５≦ＰＣｔ＿１ｎ＿ｉ−（０．５４６＋０．００４６７×νｄ＿１ｎ＿ｉ）≦０．０４
【０１０６】
また、上記条件式（９ｂ）は、次に示す範囲を満足すると、さらに好ましい効果が期待できる。
（９ｃ）  ０．００２≦ＰＣｔ＿１ｎ＿ｉ−（０．５４６＋０．００４６７×νｄ＿１ｎ＿ｉ）≦０．０３
【０１０７】
本発明にかかるズームレンズでは、第１レンズ群が、最低、１枚の正レンズと、２枚の負レンズと、を備えていれば、前述の効果が十分得られるが、３枚以上の負レンズを備えることでより良好な色収差の補正効果が得られる。
【０１０８】
さらに、本発明にかかるズームレンズでは、第３レンズ群に含まれる、少なくとも１枚の負レンズのＣ線とｔ線に関する部分分散比をＰＣｔ＿３ｎ＿ｉ、該ＰＣｔ＿３ｎ＿ｉの値が算出された負レンズのｄ線に対するアッベ数をνｄ＿３ｎ＿ｉとするとき、次の条件式を満足することが好ましい。
（１０）  ０．０００≦ＰＣｔ＿３ｎ＿ｉ−（０．５４６＋０．００４６７×νｄ＿３ｎ＿ｉ）
【０１０９】
条件式（１０）は、第３レンズ群に含まれる、負レンズのＣ線とｔ線に対する異常分散性を規定するものである。条件式（１０）を満足することで、第３レンズ群においてＣ線からｔ線までの近赤外域を含む波長域の光に対する軸上色収差、倍率色収差を良好に補正することができる。なお、第３レンズ群が複数枚の負レンズを含んでいる場合は、いずれか１枚の負レンズを選択し、当該負レンズに対して算出したＰＣｔ＿３ｎ＿ｉ、νｄ＿３ｎ＿ｉの値が条件式（１０）を満足していればよい。
【０１１０】
条件式（１０）においてその下限を下回ると、第３レンズ群に含まれる、負レンズのＣ線とｔ線に対する異常分散性が小さくなりすぎて、ｔ線を含む波長域の光に対する軸上色収差、倍率色収差の発生が顕著になり、近赤外域を含む波長域の光に対して良好な光学性能を得ることが困難になる。
【０１１１】
条件式（１０）においてあえて上限を設けていないのは、一般的な硝材でレンズを形成すれば、条件式（１０）の上限値が大きくなりすぎることによる不都合が発生するおそれが極めて少ないためである。しかし、特殊な硝材を選択して第３レンズ群に含まれる負レンズを形成する場合には、当該負レンズの異常分散性が大きくなりすぎる、すなわち条件式（１０）の値が極めて大きくなってしまうこともあり得る。この場合、ｔ線を含む波長域の光に対する色収差の補正が過剰になって、近赤外域を含む波長域の光に対して良好な光学性能を得ることが困難になることが危惧される。
【０１１２】
そこで、上記条件式（１０）は、次に示す範囲を満足すると、より好ましい効果が期待できる。
（１０ａ）  ０．００１≦ＰＣｔ＿３ｎ＿ｉ−（０．５４６＋０．００４６７×νｄ＿３ｎ＿ｉ）≦０．０５
【０１１３】
また、上記条件式（１０ａ）は、次に示す範囲を満足すると、さらに好ましい効果が期待できる。
（１０ｂ）  ０．００１５≦ＰＣｔ＿３ｎ＿ｉ−（０．５４６＋０．００４６７×νｄ＿３ｎ＿ｉ）≦０．０４
【０１１４】
また、上記条件式（１０ｂ）は、次に示す範囲を満足すると、さらに好ましい効果が期待できる。
（１０ｃ）  ０．００２≦ＰＣｔ＿３ｎ＿ｉ−（０．５４６＋０．００４６７×νｄ＿３ｎ＿ｉ）≦０．０３
【０１１５】
さらに、本発明にかかるズームレンズでは、第１レンズ群の焦点距離をｆ１、第２レンズ群の焦点距離をｆ２とするとき、次の条件式を満足することが好ましい。
（１１）  ０．４≦｜ｆ１／ｆ２｜≦１．１
【０１１６】
条件式（１１）は、第１レンズ群の焦点距離と第２レンズ群の焦点距離との比の絶対値を規定するものである。条件式（１１）を満足することで、明るいレンズ系が得られるとともに、第１レンズ群の変倍に伴う移動量を適切に設定することができ、変倍に伴う非点収差や像面湾曲の発生を抑えることができる。
【０１１７】
条件式（１１）においてその下限を下回ると、第１レンズ群の焦点距離が短くなりすぎて、像面湾曲の補正が過剰になるとともに、非点収差、歪曲収差を補正することが困難になる。特に、明るいレンズ系では変倍時の球面収差、像面湾曲、非点収差を含む諸収差の補正が極めて難しくなり、明るく良好な光学性能を備えたレンズ系を実現することが困難になる。一方、条件式（１１）においてその上限を上回ると、第１レンズ群の焦点距離が長くなりすぎて、広角端から望遠端への変倍の際に第１レンズ群の移動量が増えるため、レンズ全系の小型化を維持したまま光学性能を向上させることが困難になる。
【０１１８】
なお、上記条件式（１１）は、次に示す範囲を満足すると、より好ましい効果が期待できる。
（１１ａ）  ０．５≦｜ｆ１／ｆ２｜≦０．９
【０１１９】
また、上記条件式（１１ａ）は、次に示す範囲を満足すると、さらに好ましい効果が期待できる。
（１１ｂ）  ０．６≦｜ｆ１／ｆ２｜≦０．８
【０１２０】
さらに、本発明にかかるズームレンズでは、広角端から望遠端への変倍時における第２レンズ群の移動量をＸ２、第２レンズ群の焦点距離をｆ２とするとき、次の条件式を満足することが好ましい。
（１２）  ０．２≦｜Ｘ２／ｆ２|≦０．９
【０１２１】
条件式（１２）は、広角端から望遠端への変倍時における第２レンズ群の移動量と第２レンズ群の焦点距離との比を規定するものである。条件式（１２）を満足することで、変倍時の第２レンズ群の移動量と第２レンズ群の屈折力を適切に設定して、変倍時の球面収差、像面湾曲の変動を適切に補正することができる。
【０１２２】
条件式（１２）においてその下限を下回ると、変倍時の第２レンズ群の移動量が少なくなりすぎ、変倍時の球面収差、像面湾曲の補正が過剰になって、良好な光学性能を得ることが困難になる。一方、条件式（１２）においてその上限を上回ると、変倍時の第２レンズ群の移動量が増えすぎて、球面収差、像面湾曲の補正が不足するとともに、レンズ系の全長が伸びてしまう。
【０１２３】
なお、上記条件式（１２）は、次に示す範囲を満足すると、より好ましい効果が期待できる。
（１２ａ）  ０．３≦｜Ｘ２／ｆ２|≦０．８
【０１２４】
また、上記条件式（１２ａ）は、次に示す範囲を満足すると、さらに好ましい効果が期待できる。
（１２ｂ）  ０．４≦｜Ｘ２／ｆ２|≦０．７
【０１２５】
さらに、本発明にかかるズームレンズでは、望遠端における無限遠物体合焦状態の第２レンズ群と第３レンズ群との合成焦点距離をｆ２３ｔ、望遠端における無限遠物体合焦状態のレンズ全系の焦点距離をｆｔとするとき、次の条件式を満足することが好ましい。
（１３）  １．１≦ｆ２３ｔ／ｆｔ≦２．８
【０１２６】
条件式（１３）は、望遠端における無限遠物体合焦状態のレンズ全系の焦点距離と、望遠端における無限遠物体合焦状態の第２レンズ群と第３レンズ群との合成焦点距離との比を規定するものである。条件式（１３）を満足することで、望遠端における無限遠物体合焦状態の第２レンズ群と第３レンズ群との合成焦点距離を適切に設定して、レンズ系の望遠端における球面収差、コマ収差、像面湾曲を適切に補正することができる。
【０１２７】
条件式（１３）においてその下限を下回ると、望遠端における無限遠物体合焦状態の第２レンズ群と第３レンズ群との合成焦点距離が短くなりすぎて、レンズ系の望遠端における球面収差、コマ収差、像面湾曲の補正が過剰になるため、適切な収差補正を行うことが困難になる。一方、条件式（１３）においてその上限を上回ると、望遠端における無限遠物体合焦状態の第２レンズ群と第３レンズ群との合成焦点距離が長くなりすぎて、レンズ系の望遠端における球面収差、コマ収差、像面湾曲の補正が不足し、良好な光学性能を得ることが困難になる。
【０１２８】
なお、上記条件式（１３）は、次に示す範囲を満足すると、より好ましい効果が期待できる。
（１３ａ）  １．２≦ｆ２３ｔ／ｆｔ≦２．２
【０１２９】
また、上記条件式（１３ａ）は、次に示す範囲を満足すると、さらに好ましい効果が期待できる。
（１３ｂ）  １．３≦ｆ２３ｔ／ｆｔ≦１．８
【０１３０】
さらに、本発明にかかるズームレンズでは、第２レンズ群の焦点距離をｆ２、第３レンズ群の焦点距離をｆ３とするとき、次の条件式を満足することが好ましい。
（１４）  ３．２≦｜ｆ３／ｆ２｜≦８０．０
【０１３１】
条件式（１４）は、第２レンズ群の焦点距離と第３レンズ群の焦点距離との比の絶対値を規定するものである。条件式（１４）を満足することで、変倍時の第２レンズ群の移動に伴って発生する非点収差や像面湾曲を効果的に抑制することができる。
【０１３２】
条件式（１４）においてその下限を下回ると、第２レンズ群の焦点距離が長くなりすぎて、像面湾曲を補正することが難しくなり、特に、広角端から望遠端への変倍時に良好な光学性能を得ることが困難になる。一方、条件式（１４）においてその上限を上回ると、第２レンズ群の焦点距離が短くなりすぎて、像面湾曲の補正が過剰になるとともに、非点収差を良好に補正することが困難になる。特に、明るいレンズ系では変倍時の球面収差、像面湾曲、非点収差を含む諸収差の補正が極めて難しくなり、良好な光学性能を備えたレンズ系の実現が困難になる。
【０１３３】
なお、上記条件式（１４）は、次に示す範囲を満足すると、より好ましい効果が期待できる。
（１４ａ）  ４．０≦｜ｆ３／ｆ２｜≦７０．０
【０１３４】
また、上記条件式（１４ａ）は、次に示す範囲を満足すると、さらに好ましい効果が期待できる。
（１４ｂ）  ７．５≦｜ｆ３／ｆ２｜≦３７．０
【０１３５】
以上説明したように、本発明によれば、上記構成を備えることにより、簡易な構成でありながら、大口径比で、高画素、高感度化が進んだ固体撮像素子に対応可能な高い光学性能を備え、特に可視光域から近赤外域までの広範な波長の光に対して発生する諸収差を全変倍域に亘って良好に補正することが可能な、小型のズームレンズを実現することができる。
【０１３６】
このような特徴を備えた本発明にかかるズームレンズは、主に可視光域の光を用いる写真用のカメラはもとより、夜間撮影も行う監視カメラ等、様々な撮像装置に用いることができる。特に、高画素、高感度化が進んだ固体撮像素子を備えた撮像装置に好適な高い光学性能を備えている。
【０１３７】
さらに、本発明は、昼夜を問わず、良好な画像が得られる高性能の撮像装置を提供することを目的とする。この目的を達成するためには、上記構成を備えたズームレンズと、このズームレンズによって形成された光学像を電気的信号に変換する固体撮像素子と、を備えて撮像装置を構成すればよい。このようにすることで、可視光域から近赤外域までの広範な波長の光に対して発生する諸収差を全変倍域に亘って良好に補正することが可能になり、昼夜を問わず、良好な画像が得られる高性能の撮像装置を実現することができる。
【０１３８】
以下、本発明にかかるズームレンズの実施例を図面に基づき詳細に説明する。なお、以下の実施例により本発明が限定されるものではない。
【実施例１】
【０１３９】
図２は、実施例１にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ11と、正の屈折力を有する第２レンズ群Ｇ12と、正の屈折力を有する第３レンズ群Ｇ13と、が配置されて構成される。第１レンズ群Ｇ11と第２レンズ群Ｇ12との間には、所定の口径を規定する開口絞りＳＴＰが配置される。第３レンズ群Ｇ13と像面ＩＭＧとの間には、カバーガラスＣＧが配置される。
【０１４０】
第１レンズ群Ｇ11は、物体側から順に、負レンズＬ111と、負レンズＬ112と、負レンズＬ113と、正レンズＬ114と、が配置されて構成される。負レンズＬ113の物体側面には、非球面が形成されている。負レンズＬ113と正レンズＬ114とは、接合されている。
【０１４１】
第２レンズ群Ｇ12は、物体側から順に、正レンズＬ121と、負レンズＬ122と、正レンズＬ123と、負レンズＬ124と、正レンズＬ125と、が配置されて構成される。正レンズＬ121の両面には、非球面が形成されている。負レンズＬ122と正レンズＬ123とは、接合されている。負レンズＬ124と正レンズＬ125とは、接合されている。
【０１４２】
第３レンズ群Ｇ13は、物体側から順に、正レンズＬ131と、負レンズＬ132と、が配置されて構成される。正レンズＬ131の物体側面には、非球面が形成されている。正レンズＬ131と負レンズＬ132とは、接合されている。正レンズＬ131と負レンズＬ132との接合面は、像面ＩＭＧ側に凸形状になっている。
【０１４３】
このズームレンズは、開口絞りＳＴＰおよび第３レンズ群Ｇ13を像面ＩＭＧに対して固定したまま、第１レンズ群Ｇ11を光軸に沿って像面ＩＭＧ側に小さく凸の軌跡を形成するように移動させ、第２レンズ群Ｇ12を光軸に沿って像面ＩＭＧ側から物体側へ移動させることによって、広角端から望遠端への変倍を行う（図２中の実線の矢印を参照）。また、第１レンズ群Ｇ11を光軸に沿って像面ＩＭＧ側に小さく凸の軌跡を形成するように移動させて、無限遠物体合焦状態から最至近距離物体合焦状態までのフォーカシングを行う（図２中の破線の矢印を参照）。
【０１４４】
以下、実施例１にかかるズームレンズに関する各種数値データを示す。
【０１４５】
（面データ）
ｒ1＝28.560
ｄ1＝0.70    ｎｄ1＝1.65844    νｄ1＝50.86    ＰＣｔ1＝0.7742
ｒ2＝6.875
ｄ2＝2.74
ｒ3＝19.908
ｄ3＝0.50    ｎｄ2＝1.56883    νｄ2＝56.04    ＰＣｔ2＝0.8080
ｒ4＝9.323
ｄ4＝3.73
ｒ5＝-10.508（非球面）
ｄ5＝0.60    ｎｄ3＝1.62263    νｄ3＝58.16    ＰＣｔ3＝0.8464
ｒ6＝13.006
ｄ6＝1.89    ｎｄ4＝1.91082    νｄ4＝35.25    ＰＣｔ4＝0.7131
ｒ7＝-44.951
ｄ7＝D(7)（可変）
ｒ8＝∞（開口絞り）
ｄ8＝D(8)（可変）
ｒ9＝10.758（非球面）
ｄ9＝3.59    ｎｄ5＝1.55332    νｄ5＝71.68    ＰＣｔ5＝0.8164
ｒ10＝-16.500（非球面）
ｄ10＝0.15
ｒ11＝228.575
ｄ11＝0.50    ｎｄ6＝1.51680    νｄ6＝64.20    ＰＣｔ6＝0.8682
ｒ12＝9.700
ｄ12＝4.22    ｎｄ7＝1.49700    νｄ7＝81.65    ＰＣｔ7＝0.8305
ｒ13＝-10.326
ｄ13＝0.15
ｒ14＝-195.147
ｄ14＝0.50    ｎｄ8＝1.80610    νｄ8＝40.73    ＰＣｔ8＝0.7464
ｒ15＝7.112
ｄ15＝3.49    ｎｄ9＝1.49700    νｄ9＝81.65    ＰＣｔ9＝0.8305
ｒ16＝-16.606
ｄ16＝D(16)（可変）
ｒ17＝-22.555（非球面）
ｄ17＝2.26    ｎｄ10＝1.82080    νｄ10＝42.71    ＰＣｔ10＝0.7536
ｒ18＝-9.150
ｄ18＝0.50    ｎｄ11＝1.72825    νｄ11＝28.32    ＰＣｔ11＝0.6855
ｒ19＝-26.098
ｄ19＝5.49
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０１４６】
円錐係数（ｋ）および非球面係数（Ａ，Ｂ，Ｃ，Ｄ，Ｅ）
（第５面）
ｋ＝0，
Ａ＝0，Ｂ＝1.09677×10-6，Ｃ＝-4.85235×10-6，
Ｄ＝1.74189×10-7，Ｅ＝-4.16360×10-9
（第９面）
ｋ＝0，
Ａ＝0，Ｂ＝-1.91613×10-4，Ｃ＝3.26425×10-6，
Ｄ＝3.00419×10-8，Ｅ＝-2.56440×10-9
（第１０面）
ｋ＝0，
Ａ＝0，Ｂ＝4.25683×10-4，Ｃ＝1.04005×10-6，
Ｄ＝1.78047×10-7，Ｅ＝-4.32383×10-9
（第１７面）
ｋ＝0，
Ａ＝0，Ｂ＝-3.89074×10-5，Ｃ＝7.70391×10-7，
Ｄ＝0，Ｅ＝0
【０１４７】
（各種データ）
変倍比：1.88
広角端    中間焦点位置    望遠端
焦点距離（無限遠物体合焦状態）           4.42        5.82           8.34
Ｆナンバー                                  1.55        1.78           2.43
半画角（ω）                           66.99       47.79          32.55
像高                                    4.75        4.75           4.75
レンズ系全長                           46.58        44.00          43.18
バックフォーカス（ＢＦ）                   2.00         2.00            2.00
D(7)                                    5.68         3.08            2.26
D(8)                                    6.16         4.28           0.85
D(16)                                   1.23         3.11           6.55
【０１４８】
（ズームレンズ群データ）
群    始面      焦点距離      レンズ移動量（像面ＩＭＧ側を＋）
１      １        -7.61           3.42
２      ９        10.56           -5.31
３    １７       281.39            0.00
【０１４９】
（条件式（１）に関する数値）
｜ｆ１／ｆｗ｜＝1.72
【０１５０】
（条件式（２）に関する数値）
ｆ２３ｗ（広角端における無限遠物体合焦状態の第２レンズ群Ｇ12と第３レンズ群Ｇ13との合成焦点距離）＝11.06
ｆ２３ｗ／ｆｗ＝2.50
【０１５１】
（条件式（３）に関する数値）
｜ｆ３／ｆｗ｜＝63.48
【０１５２】
（条件式（４）に関する数値）
｜ｆ２３ｗ／ｆ１｜＝1.45
【０１５３】
（条件式（５）に関する数値）
｜νｄ３Ｐ−νｄ３ｎ|＝14.4
【０１５４】
（条件式（６）に関する数値）
νｄ２Ｐ＿ａｖｅ＝78.3
【０１５５】
（条件式（７）に関する数値）
ＰＣｔ＿２ｎ＿ｉ−（０．５４６＋０．００４６７×νｄ＿２ｎ＿ｉ）＝0.0224
【０１５６】
（条件式（８）に関する数値）
νｄ１ｐ＝35.3
【０１５７】
（条件式（９）に関する数値）
ＰＣｔ＿１ｎ＿ｉ−（０．５４６＋０．００４６７×νｄ＿１ｎ＿ｉ）＝0.0288
【０１５８】
（条件式（１０）に関する数値）
ＰＣｔ＿３ｎ＿ｉ−（０．５４６＋０．００４６７×νｄ＿３ｎ＿ｉ）＝0.0072
【０１５９】
（条件式（１１）に関する数値）
｜ｆ１／ｆ２｜＝0.72
【０１６０】
（条件式（１２）に関する数値）
｜Ｘ２／ｆ２|＝0.50
【０１６１】
（条件式（１３）に関する数値）
ｆ２３ｔ（望遠端における無限遠物体合焦状態の第２レンズ群Ｇ12と第３レンズ群Ｇ13との合成焦点距離）＝11.28
ｆ２３ｔ／ｆｔ＝1.35
【０１６２】
（条件式（１４）に関する数値）
｜ｆ３／ｆ２｜＝26.66
【０１６３】
図３は、実施例１にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例２】
【０１６４】
図４は、実施例２にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ21と、正の屈折力を有する第２レンズ群Ｇ22と、正の屈折力を有する第３レンズ群Ｇ23と、が配置されて構成される。第１レンズ群Ｇ21と第２レンズ群Ｇ22との間には、所定の口径を規定する開口絞りＳＴＰが配置される。第３レンズ群Ｇ23と像面ＩＭＧとの間には、カバーガラスＣＧが配置される。
【０１６５】
第１レンズ群Ｇ21は、物体側から順に、負レンズＬ211と、負レンズＬ212と、正レンズＬ213と、が配置されて構成される。負レンズＬ211の両面と正レンズＬ213の像面ＩＭＧ側面には、非球面が形成されている。負レンズＬ212と正レンズＬ213とは、接合されている。
【０１６６】
第２レンズ群Ｇ22は、物体側から順に、正レンズＬ221と、負レンズＬ222と、正レンズＬ223と、負レンズＬ224と、正レンズＬ225と、が配置されて構成される。正レンズＬ221の両面には、非球面が形成されている。負レンズＬ222と正レンズＬ223とは、接合されている。負レンズＬ224と正レンズＬ225とは、接合されている。
【０１６７】
第３レンズ群Ｇ23は、物体側から順に、正レンズＬ231と、負レンズＬ232と、が配置されて構成される。正レンズＬ231と負レンズＬ232とは、接合されている。正レンズＬ231と負レンズＬ232との接合面は、像面ＩＭＧ側に凸形状になっている。
【０１６８】
このズームレンズは、開口絞りＳＴＰおよび第３レンズ群Ｇ23を像面ＩＭＧに対して固定したまま、第１レンズ群Ｇ21を光軸に沿って像面ＩＭＧ側に小さく凸の軌跡を形成するように移動させ、第２レンズ群Ｇ22を光軸に沿って像面ＩＭＧ側から物体側へ移動させることによって、広角端から望遠端への変倍を行う（図４中の実線の矢印を参照）。また、第１レンズ群Ｇ21を光軸に沿って像面ＩＭＧ側に小さく凸の軌跡を形成するように移動させて、無限遠物体合焦状態から最至近距離物体合焦状態までのフォーカシングを行う（図４中の破線の矢印を参照）。
【０１６９】
以下、実施例２にかかるズームレンズに関する各種数値データを示す。
【０１７０】
（面データ）
ｒ1＝131.432（非球面）
ｄ1＝0.80    ｎｄ1＝1.82080    νｄ1＝42.71    ＰＣｔ1＝0.7536
ｒ2＝7.500（非球面）
ｄ2＝6.41
ｒ3＝-7.511
ｄ3＝0.52    ｎｄ2＝1.59349    νｄ2＝67.00    ＰＣｔ2＝0.8494
ｒ4＝14.710
ｄ4＝1.78    ｎｄ3＝1.88202    νｄ3＝37.22    ＰＣｔ3＝0.7227
ｒ5＝-27.238（非球面）
ｄ5＝D(5)（可変）
ｒ6＝∞（開口絞り）
ｄ6＝D(6)（可変）
ｒ7＝9.752（非球面）
ｄ7＝4.00    ｎｄ4＝1.55332    νｄ4＝71.68    ＰＣｔ4＝0.8164
ｒ8＝-17.883（非球面）
ｄ8＝0.53
ｒ9＝55.332
ｄ9＝0.50    ｎｄ5＝1.62041    νｄ5＝60.34    ＰＣｔ5＝0.8383
ｒ10＝7.902
ｄ10＝3.74    ｎｄ6＝1.49700    νｄ6＝81.65    ＰＣｔ6＝0.8305
ｒ11＝-11.975
ｄ11＝0.15
ｒ12＝-226.211
ｄ12＝0.50    ｎｄ7＝1.80610    νｄ7＝40.73    ＰＣｔ7＝0.7464
ｒ13＝7.900
ｄ13＝3.55    ｎｄ8＝1.49700    νｄ8＝81.65    ＰＣｔ8＝0.8305
ｒ14＝-15.426
ｄ14＝D(14)（可変）
ｒ15＝-54.287
ｄ15＝2.77    ｎｄ9＝1.74400    νｄ9＝44.90    ＰＣｔ9＝0.7459
ｒ16＝-7.290
ｄ16＝0.50    ｎｄ10＝1.69895    νｄ10＝30.05    ＰＣｔ10＝0.6936
ｒ17＝-81.768
ｄ17＝4.80
ｒ18＝∞
ｄ18＝1.50    ｎｄ11＝1.51680    νｄ11＝64.20    ＰＣｔ11＝0.8682
ｒ19＝∞
ｄ19＝ＢＦ
ｒ20＝∞（像面）
【０１７１】
円錐係数（ｋ）および非球面係数（Ａ，Ｂ，Ｃ，Ｄ，Ｅ）
（第１面）
ｋ＝0，
Ａ＝0，Ｂ＝2.13175×10-4，Ｃ＝-4.85138×10-7，
Ｄ＝-1.09051×10-8，Ｅ＝1.18921×10-10
（第２面）
ｋ＝0，
Ａ＝0，Ｂ＝1.17722×10-4，Ｃ＝4.20431×10-7，
Ｄ＝2.28582×10-7，Ｅ＝-4.06642×10-9
（第５面）
ｋ＝0，
Ａ＝0，Ｂ＝2.95068×10-5，Ｃ＝3.66591×10-6，
Ｄ＝-2.18995×10-7，Ｅ＝5.67556×10-9
（第７面）
ｋ＝0，
Ａ＝0，Ｂ＝-1.72280×10-4，Ｃ＝4.22093×10-6，
Ｄ＝-4.83929×10-8，Ｅ＝7.48395×10-10
（第８面）
ｋ＝0，
Ａ＝0，Ｂ＝4.19117×10-4，Ｃ＝2.50848×10-6，
Ｄ＝2.80895×10-8，Ｅ＝1.14497×10-10
【０１７２】
（各種データ）
変倍比：1.89
広角端    中間焦点位置    望遠端
焦点距離（無限遠物体合焦状態）           4.42        5.83           8.36
Ｆナンバー                                  1.54        1.79           2.50
半画角（ω）                           63.96       47.71          32.79
像高                                    4.75        4.75           4.75
レンズ系全長                           46.39        44.08          43.65
バックフォーカス（ＢＦ）                   1.00         1.00            1.00
D(5)                                    4.42         2.11            1.67
D(6)                                    7.09         5.05           1.35
D(14)                                   1.83         3.88           7.58
【０１７３】
（ズームレンズ群データ）
群    始面      焦点距離      レンズ移動量（像面ＩＭＧ側を＋）
１      １        -7.27           2.74
２      ７        10.81           -5.74
３    １５       734.04            0.00
【０１７４】
（条件式（１）に関する数値）
｜ｆ１／ｆｗ｜＝1.64
【０１７５】
（条件式（２）に関する数値）
ｆ２３ｗ（広角端における無限遠物体合焦状態の第２レンズ群Ｇ22と第３レンズ群Ｇ23との合成焦点距離）＝11.06
ｆ２３ｗ／ｆｗ＝2.50
【０１７６】
（条件式（３）に関する数値）
｜ｆ３／ｆｗ｜＝165.95
【０１７７】
（条件式（４）に関する数値）
｜ｆ２３ｗ／ｆ１｜＝1.52
【０１７８】
（条件式（５）に関する数値）
｜νｄ３Ｐ−νｄ３ｎ|＝14.9
【０１７９】
（条件式（６）に関する数値）
νｄ２Ｐ＿ａｖｅ＝78.3
【０１８０】
（条件式（７）に関する数値）
ＰＣｔ＿２ｎ＿ｉ−（０．５４６＋０．００４６７×νｄ＿２ｎ＿ｉ）＝0.0105
【０１８１】
（条件式（８）に関する数値）
νｄ１ｐ＝37.2
【０１８２】
（条件式（９）に関する数値）
ＰＣｔ＿１ｎ＿ｉ−（０．５４６＋０．００４６７×νｄ＿１ｎ＿ｉ）＝0.0081
【０１８３】
（条件式（１０）に関する数値）
ＰＣｔ＿３ｎ＿ｉ−（０．５４６＋０．００４６７×νｄ＿３ｎ＿ｉ）＝0.0073
【０１８４】
（条件式（１１）に関する数値）
｜ｆ１／ｆ２｜＝0.67
【０１８５】
（条件式（１２）に関する数値）
｜Ｘ２／ｆ２|＝0.53
【０１８６】
（条件式（１３）に関する数値）
ｆ２３ｔ（望遠端における無限遠物体合焦状態の第２レンズ群Ｇ22と第３レンズ群Ｇ23との合成焦点距離）＝11.15
ｆ２３ｔ／ｆｔ＝1.33
【０１８７】
（条件式（１４）に関する数値）
｜ｆ３／ｆ２｜＝67.92
【０１８８】
図５は、実施例２にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例３】
【０１８９】
図６は、実施例３にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ31と、正の屈折力を有する第２レンズ群Ｇ32と、正の屈折力を有する第３レンズ群Ｇ33と、が配置されて構成される。第１レンズ群Ｇ31と第２レンズ群Ｇ32との間には、所定の口径を規定する開口絞りＳＴＰが配置される。第３レンズ群Ｇ33と像面ＩＭＧとの間には、カバーガラスＣＧが配置される。
【０１９０】
第１レンズ群Ｇ31は、物体側から順に、負レンズＬ311と、負レンズＬ312と、負レンズＬ313と、正レンズＬ314と、が配置されて構成される。負レンズＬ313の物体側面には、非球面が形成されている。負レンズＬ313と正レンズＬ314とは、接合されている。
【０１９１】
第２レンズ群Ｇ32は、物体側から順に、正レンズＬ321と、負レンズＬ322と、正レンズＬ323と、負レンズＬ324と、正レンズＬ325と、が配置されて構成される。正レンズＬ321の両面には、非球面が形成されている。負レンズＬ322と正レンズＬ323とは、接合されている。負レンズＬ324と正レンズＬ325とは、接合されている。
【０１９２】
第３レンズ群Ｇ33は、物体側から順に、正レンズＬ331と、負レンズＬ332と、が配置されて構成される。正レンズＬ331の物体側面には、非球面が形成されている。正レンズＬ331と負レンズＬ332とは、接合されている。正レンズＬ331と負レンズＬ332との接合面は、像面ＩＭＧ側に凸形状になっている。
【０１９３】
このズームレンズは、開口絞りＳＴＰおよび第３レンズ群Ｇ33を像面ＩＭＧに対して固定したまま、第１レンズ群Ｇ31を光軸に沿って像面ＩＭＧ側に凸の軌跡を形成するように移動させ、第２レンズ群Ｇ32を光軸に沿って像面ＩＭＧ側から物体側へ移動させることによって、広角端から望遠端への変倍を行う（図６中の実線の矢印を参照）。また、第１レンズ群Ｇ31を光軸に沿って像面ＩＭＧ側に凸の軌跡を形成するように移動させて、無限遠物体合焦状態から最至近距離物体合焦状態までのフォーカシングを行う（図６中の破線の矢印を参照）。
【０１９４】
以下、実施例３にかかるズームレンズに関する各種数値データを示す。
【０１９５】
（面データ）
ｒ1＝22.334
ｄ1＝0.70    ｎｄ1＝1.88300    νｄ1＝40.80    ＰＣｔ1＝0.7381
ｒ2＝6.875
ｄ2＝2.79
ｒ3＝21.150
ｄ3＝0.50    ｎｄ2＝1.48749    νｄ2＝70.45    ＰＣｔ2＝0.8988
ｒ4＝12.931
ｄ4＝5.34
ｒ5＝-10.100（非球面）
ｄ5＝0.60    ｎｄ3＝1.69350    νｄ3＝53.20    ＰＣｔ3＝0.8135
ｒ6＝24.955
ｄ6＝1.41    ｎｄ4＝1.84666    νｄ4＝23.78    ＰＣｔ4＝0.6600
ｒ7＝-35.784
ｄ7＝D(7)（可変）
ｒ8＝∞（開口絞り）
ｄ8＝D(8)（可変）
ｒ9＝11.750（非球面）
ｄ9＝3.87    ｎｄ5＝1.55332    νｄ5＝71.68    ＰＣｔ5＝0.8164
ｒ10＝-18.393（非球面）
ｄ10＝0.15
ｒ11＝32.202
ｄ11＝0.50    ｎｄ6＝1.62299    νｄ6＝58.12    ＰＣｔ6＝0.8107
ｒ12＝9.700
ｄ12＝4.73    ｎｄ7＝1.49700    νｄ7＝81.65    ＰＣｔ7＝0.8305
ｒ13＝-11.842
ｄ13＝0.15
ｒ14＝167.012
ｄ14＝0.50    ｎｄ8＝1.80610    νｄ8＝40.73    ＰＣｔ8＝0.7464
ｒ15＝7.822
ｄ15＝4.27    ｎｄ9＝1.49700    νｄ9＝81.65    ＰＣｔ9＝0.8305
ｒ16＝-32.434
ｄ16＝D(16)（可変）
ｒ17＝-21.608（非球面）
ｄ17＝2.77    ｎｄ10＝1.55332    νｄ10＝71.68    ＰＣｔ10＝0.8164
ｒ18＝-9.150
ｄ18＝0.50    ｎｄ11＝1.84666    νｄ11＝23.78    ＰＣｔ11＝0.6600
ｒ19＝-14.586
ｄ19＝6.36
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０１９６】
円錐係数（ｋ）および非球面係数（Ａ，Ｂ，Ｃ，Ｄ，Ｅ）
（第５面）
ｋ＝0，
Ａ＝0，Ｂ＝9.65920×10-5，Ｃ＝-1.19171×10-5，
Ｄ＝9.17092×10-7，Ｅ＝-2.98439×10-8
（第９面）
ｋ＝0，
Ａ＝0，Ｂ＝-1.57570×10-4，Ｃ＝2.33471×10-6，
Ｄ＝3.86574×10-9，Ｅ＝-6.82758×10-10
（第１０面）
ｋ＝0，
Ａ＝0，Ｂ＝2.76164×10-4，Ｃ＝1.16104×10-6，
Ｄ＝6.71701×10-8，Ｅ＝-1.34735×10-9
（第１７面）
ｋ＝0，
Ａ＝0，Ｂ＝1.43511×10-5，Ｃ＝1.78962×10-7，
Ｄ＝0，Ｅ＝0
【０１９７】
（各種データ）
変倍比：1.89
広角端    中間焦点位置    望遠端
焦点距離（無限遠物体合焦状態）           4.43        5.83           8.36
Ｆナンバー                                  1.65        2.02           3.09
半画角（ω）                           66.72       48.20          32.79
像高                                    4.75        4.75           4.75
レンズ系全長                           50.69        49.53          50.62
バックフォーカス（ＢＦ）                   2.00         2.00            2.00
D(7)                                    3.53         2.36            3.44
D(8)                                    7.97         5.45           0.85
D(16)                                   1.53         4.06           8.66
【０１９８】
（ズームレンズ群データ）
群    始面      焦点距離      レンズ移動量（像面ＩＭＧ側を＋）
１      １        -5.89           2.25
２      ９        11.09           -7.12
３    １７       400.00            0.00
【０１９９】
（条件式（１）に関する数値）
｜ｆ１／ｆｗ｜＝1.33
【０２００】
（条件式（２）に関する数値）
ｆ２３ｗ（広角端における無限遠物体合焦状態の第２レンズ群Ｇ32と第３レンズ群Ｇ33との合成焦点距離）＝11.78
ｆ２３ｗ／ｆｗ＝2.66
【０２０１】
（条件式（３）に関する数値）
｜ｆ３／ｆｗ｜＝90.25
【０２０２】
（条件式（４）に関する数値）
｜ｆ２３ｗ／ｆ１｜＝2.00
【０２０３】
（条件式（５）に関する数値）
｜νｄ３Ｐ−νｄ３ｎ|＝47.9
【０２０４】
（条件式（６）に関する数値）
νｄ２Ｐ＿ａｖｅ＝78.3
【０２０５】
（条件式（７）に関する数値）
ＰＣｔ＿２ｎ＿ｉ−（０．５４６＋０．００４６７×νｄ＿２ｎ＿ｉ）＝0.0102
【０２０６】
（条件式（８）に関する数値）
νｄ１ｐ＝23.8
【０２０７】
（条件式（９）に関する数値）
ＰＣｔ＿１ｎ＿ｉ−（０．５４６＋０．００４６７×νｄ＿１ｎ＿ｉ）＝0.0191
【０２０８】
（条件式（１０）に関する数値）
ＰＣｔ＿３ｎ＿ｉ−（０．５４６＋０．００４６７×νｄ＿３ｎ＿ｉ）＝0.0029
【０２０９】
（条件式（１１）に関する数値）
｜ｆ１／ｆ２｜＝0.53
【０２１０】
（条件式（１２）に関する数値）
｜Ｘ２／ｆ２|＝0.64
【０２１１】
（条件式（１３）に関する数値）
ｆ２３ｔ（望遠端における無限遠物体合焦状態の第２レンズ群Ｇ32と第３レンズ群Ｇ33との合成焦点距離）＝12.00
ｆ２３ｔ／ｆｔ＝1.44
【０２１２】
（条件式（１４）に関する数値）
｜ｆ３／ｆ２｜＝36.08
【０２１３】
図７は、実施例３にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例４】
【０２１４】
図８は、実施例４にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ41と、正の屈折力を有する第２レンズ群Ｇ42と、正の屈折力を有する第３レンズ群Ｇ43と、が配置されて構成される。第１レンズ群Ｇ41と第２レンズ群Ｇ42との間には、所定の口径を規定する開口絞りＳＴＰが配置される。第３レンズ群Ｇ43と像面ＩＭＧとの間には、カバーガラスＣＧが配置される。
【０２１５】
第１レンズ群Ｇ41は、物体側から順に、負レンズＬ411と、負レンズＬ412と、負レンズＬ413と、正レンズＬ414と、が配置されて構成される。負レンズＬ413の物体側面には、非球面が形成されている。負レンズＬ413と正レンズＬ414とは、接合されている。
【０２１６】
第２レンズ群Ｇ42は、物体側から順に、正レンズＬ421と、負レンズＬ422と、正レンズＬ423と、負レンズＬ424と、正レンズＬ425と、が配置されて構成される。正レンズＬ421の両面には、非球面が形成されている。負レンズＬ422と正レンズＬ423とは、接合されている。負レンズＬ424と正レンズＬ425とは、接合されている。
【０２１７】
第３レンズ群Ｇ43は、物体側から順に、正レンズＬ431と、負レンズＬ432と、が配置されて構成される。正レンズＬ431の物体側面には、非球面が形成されている。正レンズＬ431と負レンズＬ432とは、接合されている。正レンズＬ431と負レンズＬ432との接合面は、像面ＩＭＧ側に凸形状になっている。
【０２１８】
このズームレンズは、開口絞りＳＴＰおよび第３レンズ群Ｇ43を像面ＩＭＧに対して固定したまま、第１レンズ群Ｇ41を光軸に沿って物体側から像面ＩＭＧ側へ移動させ、第２レンズ群Ｇ42を光軸に沿って像面ＩＭＧ側から物体側へ移動させることによって、広角端から望遠端への変倍を行う（図８中の実線の矢印を参照）。また、第１レンズ群Ｇ41を光軸に沿って物体側から像面ＩＭＧ側へ移動させて、無限遠物体合焦状態から最至近距離物体合焦状態までのフォーカシングを行う（図８中の破線の矢印を参照）。
【０２１９】
以下、実施例４にかかるズームレンズに関する各種数値データを示す。
【０２２０】
（面データ）
ｒ1＝63.338
ｄ1＝0.70    ｎｄ1＝1.58913    νｄ1＝61.25    ＰＣｔ1＝0.8368
ｒ2＝6.875
ｄ2＝2.83
ｒ3＝54.504
ｄ3＝0.50    ｎｄ2＝1.76182    νｄ2＝26.61    ＰＣｔ2＝0.6762
ｒ4＝15.319
ｄ4＝2.94
ｒ5＝-13.227（非球面）
ｄ5＝0.60    ｎｄ3＝1.62263    νｄ3＝58.16    ＰＣｔ3＝0.8464
ｒ6＝13.671
ｄ6＝1.99    ｎｄ4＝1.91082    νｄ4＝35.25    ＰＣｔ4＝0.7131
ｒ7＝-29.046
ｄ7＝D(7)（可変）
ｒ8＝∞（開口絞り）
ｄ8＝D(8)（可変）
ｒ9＝10.260（非球面）
ｄ9＝3.74    ｎｄ5＝1.55332    νｄ5＝71.68    ＰＣｔ5＝0.8164
ｒ10＝-16.500（非球面）
ｄ10＝0.74
ｒ11＝-37.016
ｄ11＝0.50    ｎｄ6＝1.56732    νｄ6＝42.84    ＰＣｔ6＝0.7639
ｒ12＝61.389
ｄ12＝3.40    ｎｄ7＝1.49700    νｄ7＝81.65    ＰＣｔ7＝0.8305
ｒ13＝-10.017
ｄ13＝0.15
ｒ14＝195.108
ｄ14＝0.50    ｎｄ8＝1.80610    νｄ8＝40.73    ＰＣｔ8＝0.7464
ｒ15＝7.000
ｄ15＝3.73    ｎｄ9＝1.49700    νｄ9＝81.65    ＰＣｔ9＝0.8305
ｒ16＝-21.218
ｄ16＝D(16)（可変）
ｒ17＝-424.877（非球面）
ｄ17＝2.51    ｎｄ10＝1.82080    νｄ10＝42.71    ＰＣｔ10＝0.7536
ｒ18＝-11.198
ｄ18＝0.50    ｎｄ11＝1.72825    νｄ11＝28.32    ＰＣｔ11＝0.6855
ｒ19＝-153.514
ｄ19＝4.43
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０２２１】
円錐係数（ｋ）および非球面係数（Ａ，Ｂ，Ｃ，Ｄ，Ｅ）
（第５面）
ｋ＝0，
Ａ＝0，Ｂ＝1.61829×10-5，Ｃ＝-3.79476×10-6，
Ｄ＝1.79040×10-7，Ｅ＝-4.30180×10-9
（第９面）
ｋ＝0，
Ａ＝0，Ｂ＝-1.70485×10-4，Ｃ＝2.57665×10-6，
Ｄ＝3.91896×10-8，Ｅ＝-2.43028×10-9
（第１０面）
ｋ＝0，
Ａ＝0，Ｂ＝4.38937×10-4，Ｃ＝4.74978×10-8，
Ｄ＝2.06665×10-7，Ｅ＝-4.60654×10-9
（第１７面）
ｋ＝0，
Ａ＝0，Ｂ＝-4.36169×10-5，Ｃ＝-3.16374×10-8，
Ｄ＝0，Ｅ＝0
【０２２２】
（各種データ）
変倍比：1.87
広角端    中間焦点位置    望遠端
焦点距離（無限遠物体合焦状態）           4.45        6.10           8.33
Ｆナンバー                                  1.55        1.79           2.26
半画角（ω）                           66.34       45.39          32.52
像高                                    4.75        4.75           4.75
レンズ系全長                           47.58        43.40          41.73
バックフォーカス（ＢＦ）                   2.00         2.00            2.00
D(7)                                    8.29         4.09            2.41
D(8)                                    5.87         3.76           0.85
D(16)                                   1.20         3.31           6.22
【０２２３】
（ズームレンズ群データ）
群    始面      焦点距離      レンズ移動量（像面ＩＭＧ側を＋）
１      １        -9.74           5.88
２      ９        11.52           -5.02
３    １７        90.06            0.00
【０２２４】
（条件式（１）に関する数値）
｜ｆ１／ｆｗ｜＝2.19
【０２２５】
（条件式（２）に関する数値）
ｆ２３ｗ（広角端における無限遠物体合焦状態の第２レンズ群Ｇ42と第３レンズ群Ｇ43との合成焦点距離）＝11.32
ｆ２３ｗ／ｆｗ＝2.54
【０２２６】
（条件式（３）に関する数値）
｜ｆ３／ｆｗ｜＝20.23
【０２２７】
（条件式（４）に関する数値）
｜ｆ２３ｗ／ｆ１｜＝1.16
【０２２８】
（条件式（５）に関する数値）
｜νｄ３Ｐ−νｄ３ｎ|＝14.4
【０２２９】
（条件式（６）に関する数値）
νｄ２Ｐ＿ａｖｅ＝78.3
【０２３０】
（条件式（７）に関する数値）
ＰＣｔ＿２ｎ＿ｉ−（０．５４６＋０．００４６７×νｄ＿２ｎ＿ｉ）＝0.0178
【０２３１】
（条件式（８）に関する数値）
νｄ１ｐ＝35.3
【０２３２】
（条件式（９）に関する数値）
ＰＣｔ＿１ｎ＿ｉ−（０．５４６＋０．００４６７×νｄ＿１ｎ＿ｉ）＝0.0288
【０２３３】
（条件式（１０）に関する数値）
ＰＣｔ＿３ｎ＿ｉ−（０．５４６＋０．００４６７×νｄ＿３ｎ＿ｉ）＝0.0072
【０２３４】
（条件式（１１）に関する数値）
｜ｆ１／ｆ２｜＝0.85
【０２３５】
（条件式（１２）に関する数値）
｜Ｘ２／ｆ２|＝0.44
【０２３６】
（条件式（１３）に関する数値）
ｆ２３ｔ（望遠端における無限遠物体合焦状態の第２レンズ群Ｇ42と第３レンズ群Ｇ43との合成焦点距離）＝11.98
ｆ２３ｔ／ｆｔ＝1.44
【０２３７】
（条件式（１４）に関する数値）
｜ｆ３／ｆ２｜＝7.82
【０２３８】
図９は、実施例４にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例５】
【０２３９】
図１０は、実施例５にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ51と、正の屈折力を有する第２レンズ群Ｇ52と、正の屈折力を有する第３レンズ群Ｇ53と、が配置されて構成される。第１レンズ群Ｇ51と第２レンズ群Ｇ52との間には、所定の口径を規定する開口絞りＳＴＰが配置される。第３レンズ群Ｇ53と像面ＩＭＧとの間には、カバーガラスＣＧが配置される。
【０２４０】
第１レンズ群Ｇ51は、物体側から順に、負レンズＬ511と、負レンズＬ512と、負レンズＬ513と、正レンズＬ514と、が配置されて構成される。負レンズＬ513の物体側面には、非球面が形成されている。負レンズＬ513と正レンズＬ514とは、接合されている。
【０２４１】
第２レンズ群Ｇ52は、物体側から順に、正レンズＬ521と、負レンズＬ522と、正レンズＬ523と、負レンズＬ524と、正レンズＬ525と、が配置されて構成される。正レンズＬ521の両面には、非球面が形成されている。負レンズＬ522と正レンズＬ523とは、接合されている。負レンズＬ524と正レンズＬ525とは、接合されている。
【０２４２】
第３レンズ群Ｇ53は、物体側から順に、正レンズＬ531と、負レンズＬ532と、が配置されて構成される。正レンズＬ531の物体側面には、非球面が形成されている。正レンズＬ531と負レンズＬ532とは、接合されている。正レンズＬ531と負レンズＬ532との接合面は、像面ＩＭＧ側に凸形状になっている。
【０２４３】
このズームレンズは、開口絞りＳＴＰおよび第３レンズ群Ｇ53を像面ＩＭＧに対して固定したまま、第１レンズ群Ｇ51を光軸に沿って物体側から像面ＩＭＧ側へなだらかに移動させ、第２レンズ群Ｇ52を光軸に沿って像面ＩＭＧ側から物体側へ移動させることによって、広角端から望遠端への変倍を行う（図１０中の実線の矢印を参照）。また、第１レンズ群Ｇ51を光軸に沿って物体側から像面ＩＭＧ側へなだらかに移動させて、無限遠物体合焦状態から最至近距離物体合焦状態までのフォーカシングを行う（図１０中の破線の矢印を参照）。
【０２４４】
以下、実施例５にかかるズームレンズに関する各種数値データを示す。
【０２４５】
（面データ）
ｒ1＝22.840
ｄ1＝0.70    ｎｄ1＝1.62299    νｄ1＝58.12    ＰＣｔ1＝0.8107
ｒ2＝6.875
ｄ2＝2.32
ｒ3＝12.903
ｄ3＝0.50    ｎｄ2＝1.48749    νｄ2＝70.45    ＰＣｔ2＝0.8988
ｒ4＝7.319
ｄ4＝3.73
ｒ5＝-13.671（非球面）
ｄ5＝0.60    ｎｄ3＝1.62263    νｄ3＝58.16    ＰＣｔ3＝0.8464
ｒ6＝8.019
ｄ6＝1.77    ｎｄ4＝1.91082    νｄ4＝35.25    ＰＣｔ4＝0.7131
ｒ7＝72.433
ｄ7＝D(7)（可変）
ｒ8＝∞（開口絞り）
ｄ8＝D(8)（可変）
ｒ9＝12.789（非球面）
ｄ9＝3.50    ｎｄ5＝1.59201    νｄ5＝67.02    ＰＣｔ5＝0.8184
ｒ10＝-18.012（非球面）
ｄ10＝0.15
ｒ11＝3031.500
ｄ11＝0.50    ｎｄ6＝1.56732    νｄ6＝42.84    ＰＣｔ6＝0.7639
ｒ12＝13.079
ｄ12＝4.07    ｎｄ7＝1.59282    νｄ7＝68.63    ＰＣｔ7＝0.7960
ｒ13＝-10.671
ｄ13＝0.15
ｒ14＝47.455
ｄ14＝0.50    ｎｄ8＝1.91082    νｄ8＝35.25    ＰＣｔ8＝0.7131
ｒ15＝7.000
ｄ15＝3.47    ｎｄ9＝1.49700    νｄ9＝81.65    ＰＣｔ9＝0.8305
ｒ16＝-39.000
ｄ16＝D(16)（可変）
ｒ17＝-96.750（非球面）
ｄ17＝2.52    ｎｄ10＝1.88202    νｄ10＝37.22    ＰＣｔ10＝0.7227
ｒ18＝-13.905
ｄ18＝0.50    ｎｄ11＝1.67270    νｄ11＝32.17    ＰＣｔ11＝0.7030
ｒ19＝-99.333
ｄ19＝4.38
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０２４６】
円錐係数（ｋ）および非球面係数（Ａ，Ｂ，Ｃ，Ｄ，Ｅ）
（第５面）
ｋ＝0，
Ａ＝0，Ｂ＝-4.20167×10-5，Ｃ＝-6.77937×10-6，
Ｄ＝1.63124×10-7，Ｅ＝-2.05645×10-9
（第９面）
ｋ＝0，
Ａ＝0，Ｂ＝-2.65859×10-4，Ｃ＝-3.36618×10-6，
Ｄ＝1.22589×10-7，Ｅ＝-7.65284×10-9
（第１０面）
ｋ＝0，
Ａ＝0，Ｂ＝2.80382×10-4，Ｃ＝-1.68536×10-6，
Ｄ＝2.93515×10-8，Ｅ＝-3.58703×10-9
（第１７面）
ｋ＝0，
Ａ＝0，Ｂ＝-2.21084×10-5，Ｃ＝7.95255×10-8，
Ｄ＝0，Ｅ＝0
【０２４７】
（各種データ）
変倍比：1.87
広角端    中間焦点位置    望遠端
焦点距離（無限遠物体合焦状態）           4.44        6.16           8.34
Ｆナンバー                                  1.55        1.89           2.56
半画角（ω）                           66.62       44.71          32.43
像高                                    4.75        4.75           4.75
レンズ系全長                           44.42        42.24          42.22
バックフォーカス（ＢＦ）                   2.00         2.00            2.00
D(7)                                    4.98         2.78            2.75
D(8)                                    6.38         3.93           0.85
D(16)                                   1.22         3.66           6.75
【０２４８】
（ズームレンズ群データ）
群    始面      焦点距離      レンズ移動量（像面ＩＭＧ側を＋）
１      １        -7.84           2.23
２      ９        10.13           -5.53
３    １７        77.14            0.00
【０２４９】
（条件式（１）に関する数値）
｜ｆ１／ｆｗ｜＝1.77
【０２５０】
（条件式（２）に関する数値）
ｆ２３ｗ（広角端における無限遠物体合焦状態の第２レンズ群Ｇ52と第３レンズ群Ｇ53との合成焦点距離）＝10.10
ｆ２３ｗ／ｆｗ＝2.28
【０２５１】
（条件式（３）に関する数値）
｜ｆ３／ｆｗ｜＝17.39
【０２５２】
（条件式（４）に関する数値）
｜ｆ２３ｗ／ｆ１｜＝1.29
【０２５３】
（条件式（５）に関する数値）
｜νｄ３Ｐ−νｄ３ｎ|＝5.1 
【０２５４】
（条件式（６）に関する数値）
νｄ２Ｐ＿ａｖｅ＝71.4
【０２５５】
（条件式（７）に関する数値）
ＰＣｔ＿２ｎ＿ｉ−（０．５４６＋０．００４６７×νｄ＿２ｎ＿ｉ）＝0.0178
【０２５６】
（条件式（８）に関する数値）
νｄ１ｐ＝35.3
【０２５７】
（条件式（９）に関する数値）
ＰＣｔ＿１ｎ＿ｉ−（０．５４６＋０．００４６７×νｄ＿１ｎ＿ｉ）＝0.0288
【０２５８】
（条件式（１０）に関する数値）
ＰＣｔ＿３ｎ＿ｉ−（０．５４６＋０．００４６７×νｄ＿３ｎ＿ｉ）＝0.0068
【０２５９】
（条件式（１１）に関する数値）
｜ｆ１／ｆ２｜＝0.77
【０２６０】
（条件式（１２）に関する数値）
｜Ｘ２／ｆ２|＝0.55
【０２６１】
（条件式（１３）に関する数値）
ｆ２３ｔ（望遠端における無限遠物体合焦状態の第２レンズ群Ｇ52と第３レンズ群Ｇ53との合成焦点距離）＝10.88
ｆ２３ｔ／ｆｔ＝1.30
【０２６２】
（条件式（１４）に関する数値）
｜ｆ３／ｆ２｜＝7.62
【０２６３】
図１１は、実施例５にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例６】
【０２６４】
図１２は、実施例６にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ61と、正の屈折力を有する第２レンズ群Ｇ62と、正の屈折力を有する第３レンズ群Ｇ63と、が配置されて構成される。第１レンズ群Ｇ61と第２レンズ群Ｇ62との間には、所定の口径を規定する開口絞りＳＴＰが配置される。第３レンズ群Ｇ63と像面ＩＭＧとの間には、カバーガラスＣＧが配置される。
【０２６５】
第１レンズ群Ｇ61は、物体側から順に、負レンズＬ611と、負レンズＬ612と、負レンズＬ613と、正レンズＬ614と、が配置されて構成される。負レンズＬ613の物体側面には、非球面が形成されている。負レンズＬ613と正レンズＬ614とは、接合されている。
【０２６６】
第２レンズ群Ｇ62は、物体側から順に、正レンズＬ621と、負レンズＬ622と、正レンズＬ623と、負レンズＬ624と、正レンズＬ625と、が配置されて構成される。正レンズＬ621の両面には、非球面が形成されている。負レンズＬ622と正レンズＬ623とは、接合されている。負レンズＬ624と正レンズＬ625とは、接合されている。
【０２６７】
第３レンズ群Ｇ63は、物体側から順に、正レンズＬ631と、負レンズＬ632と、が配置されて構成される。正レンズＬ631の物体側面には、非球面が形成されている。正レンズＬ631と負レンズＬ632とは、接合されている。正レンズＬ631と負レンズＬ632との接合面は、像面ＩＭＧ側に凸形状になっている。
【０２６８】
このズームレンズは、開口絞りＳＴＰおよび第３レンズ群Ｇ63を像面ＩＭＧに対して固定したまま、第１レンズ群Ｇ61を光軸に沿って物体側から像面ＩＭＧ側へなだらかに移動させ、第２レンズ群Ｇ62を光軸に沿って像面ＩＭＧ側から物体側へ移動させることによって、広角端から望遠端への変倍を行う（図１２の実線の矢印を参照）。また、第１レンズ群Ｇ61を光軸に沿って物体側から像面ＩＭＧ側へなだらかに移動させて、無限遠物体合焦状態から最至近距離物体合焦状態までのフォーカシングを行う（図１２中の破線の矢印を参照）。
【０２６９】
以下、実施例６にかかるズームレンズに関する各種数値データを示す。
【０２７０】
（面データ）
ｒ1＝29.683
ｄ1＝0.70    ｎｄ1＝1.88300    νｄ1＝40.80    ＰＣｔ1＝0.7381
ｒ2＝6.875
ｄ2＝3.36
ｒ3＝85.894
ｄ3＝0.50    ｎｄ2＝1.48749    νｄ2＝70.45    ＰＣｔ2＝0.8988
ｒ4＝15.316
ｄ4＝3.44
ｒ5＝-11.913（非球面）
ｄ5＝0.60    ｎｄ3＝1.62263    νｄ3＝58.16    ＰＣｔ3＝0.8464
ｒ6＝12.850
ｄ6＝3.45    ｎｄ4＝1.91082    νｄ4＝35.25    ＰＣｔ4＝0.7131
ｒ7＝-30.637
ｄ7＝D(7)（可変）
ｒ8＝∞（開口絞り）
ｄ8＝D(8)（可変）
ｒ9＝12.164（非球面）
ｄ9＝4.00    ｎｄ5＝1.59201    νｄ5＝67.02    ＰＣｔ5＝0.8499
ｒ10＝-18.102（非球面）
ｄ10＝1.52
ｒ11＝-778.309
ｄ11＝0.50    ｎｄ6＝1.56883    νｄ6＝56.04    ＰＣｔ6＝0.8080
ｒ12＝9.700
ｄ12＝3.88    ｎｄ7＝1.49700    νｄ7＝81.65    ＰＣｔ7＝0.8305
ｒ13＝-13.485
ｄ13＝0.16
ｒ14＝288.955
ｄ14＝0.50    ｎｄ8＝1.91082    νｄ8＝35.25    ＰＣｔ8＝0.7131
ｒ15＝8.053
ｄ15＝3.50    ｎｄ9＝1.49700    νｄ9＝81.65    ＰＣｔ9＝0.8305
ｒ16＝-20.581
ｄ16＝D(16)（可変）
ｒ17＝-20.841（非球面）
ｄ17＝2.79    ｎｄ10＝1.82080    νｄ10＝42.71    ＰＣｔ10＝0.7536
ｒ18＝-9.150
ｄ18＝0.50    ｎｄ11＝1.91082    νｄ11＝35.25    ＰＣｔ11＝0.7131
ｒ19＝-14.353
ｄ19＝4.00
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０２７１】
円錐係数（ｋ）および非球面係数（Ａ，Ｂ，Ｃ，Ｄ，Ｅ）
（第５面）
ｋ＝0，
Ａ＝0，Ｂ＝-1.06724×10-5，Ｃ＝-2.37407×10-6，
Ｄ＝7.20137×10-8，Ｅ＝-1.81348×10-9
（第９面）
ｋ＝0，
Ａ＝0，Ｂ＝-1.07086×10-4，Ｃ＝1.71366×10-6，
Ｄ＝-2.23618×10-8，Ｅ＝4.85325×10-10
（第１０面）
ｋ＝0，
Ａ＝0，Ｂ＝2.35304×10-4，Ｃ＝7.93066×10-7，
Ｄ＝-7.58119×10-10，Ｅ＝4.17355×10-10
（第１７面）
ｋ＝0，
Ａ＝0，Ｂ＝-1.87934×10-5，Ｃ＝1.51794×10-7，
Ｄ＝0，Ｅ＝0
【０２７２】
（各種データ）
変倍比：1.88
広角端    中間焦点位置    望遠端
焦点距離（無限遠物体合焦状態）           4.43        5.83           8.35
Ｆナンバー                                  1.65        1.91           2.58
半画角（ω）                           66.04       47.83          32.80
像高                                    4.75        4.75           4.75
レンズ系全長                           56.18        52.70          51.30
バックフォーカス（ＢＦ）                   2.00         2.00            2.00
D(7)                                    8.95         5.44            4.04
D(8)                                    7.27         4.97           0.85
D(16)                                   4.10         6.40          10.52
【０２７３】
（ズームレンズ群データ）
群    始面      焦点距離      レンズ移動量（像面ＩＭＧ側を＋）
１      １        -8.44           4.91
２      ９        13.22           -6.42
３    １７        54.65            0.00
【０２７４】
（条件式（１）に関する数値）
｜ｆ１／ｆｗ｜＝1.90
【０２７５】
（条件式（２）に関する数値）
ｆ２３ｗ（広角端における無限遠物体合焦状態の第２レンズ群Ｇ62と第３レンズ群Ｇ63との合成焦点距離）＝14.51
ｆ２３ｗ／ｆｗ＝3.27
【０２７６】
（条件式（３）に関する数値）
｜ｆ３／ｆｗ｜＝12.33
【０２７７】
（条件式（４）に関する数値）
｜ｆ２３ｗ／ｆ１｜＝1.72
【０２７８】
（条件式（５）に関する数値）
｜νｄ３Ｐ−νｄ３ｎ|＝7.5 
【０２７９】
（条件式（６）に関する数値）
νｄ２Ｐ＿ａｖｅ＝76.8
【０２８０】
（条件式（７）に関する数値）
ＰＣｔ＿２ｎ＿ｉ−（０．５４６＋０．００４６７×νｄ＿２ｎ＿ｉ）＝0.0025
【０２８１】
（条件式（８）に関する数値）
νｄ１ｐ＝35.3
【０２８２】
（条件式（９）に関する数値）
ＰＣｔ＿１ｎ＿ｉ−（０．５４６＋０．００４６７×νｄ＿１ｎ＿ｉ）＝0.0288
【０２８３】
（条件式（１０）に関する数値）
ＰＣｔ＿３ｎ＿ｉ−（０．５４６＋０．００４６７×νｄ＿３ｎ＿ｉ）＝0.0025
【０２８４】
（条件式（１１）に関する数値）
｜ｆ１／ｆ２｜＝0.64
【０２８５】
（条件式（１２）に関する数値）
｜Ｘ２／ｆ２|＝0.49
【０２８６】
（条件式（１３）に関する数値）
ｆ２３ｔ（望遠端における無限遠物体合焦状態の第２レンズ群Ｇ62と第３レンズ群Ｇ63との合成焦点距離）＝16.65
ｆ２３ｔ／ｆｔ＝2.00
【０２８７】
（条件式（１４）に関する数値）
｜ｆ３／ｆ２｜＝4.13
【０２８８】
図１３は、実施例６にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例７】
【０２８９】
図１４は、実施例７にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ71と、正の屈折力を有する第２レンズ群Ｇ72と、正の屈折力を有する第３レンズ群Ｇ73と、が配置されて構成される。第１レンズ群Ｇ71と第２レンズ群Ｇ72との間には、所定の口径を規定する開口絞りＳＴＰが配置される。第３レンズ群Ｇ73と像面ＩＭＧとの間には、カバーガラスＣＧが配置される。
【０２９０】
第１レンズ群Ｇ71は、物体側から順に、負レンズＬ711と、負レンズＬ712と、負レンズＬ713と、正レンズＬ714と、が配置されて構成される。負レンズＬ713の物体側面には、非球面が形成されている。負レンズＬ713と正レンズＬ714とは、接合されている。
【０２９１】
第２レンズ群Ｇ72は、物体側から順に、正レンズＬ721と、負レンズＬ722と、正レンズＬ723と、負レンズＬ724と、正レンズＬ725と、が配置されて構成される。正レンズＬ721の両面には、非球面が形成されている。負レンズＬ722と正レンズＬ723とは、接合されている。負レンズＬ724と正レンズＬ725とは、接合されている。
【０２９２】
第３レンズ群Ｇ73は、物体側から順に、正レンズＬ731と、負レンズＬ732と、が配置されて構成される。正レンズＬ731の物体側面には、非球面が形成されている。正レンズＬ731と負レンズＬ732とは、接合されている。正レンズＬ731と負レンズＬ732との接合面は、像面ＩＭＧ側に凸形状になっている。
【０２９３】
このズームレンズは、開口絞りＳＴＰおよび第３レンズ群Ｇ73を像面ＩＭＧに対して固定したまま、第１レンズ群Ｇ71を光軸に沿って物体側から像面ＩＭＧ側へなだらかに移動させ、第２レンズ群Ｇ72を光軸に沿って像面ＩＭＧ側から物体側へ移動させることによって、広角端から望遠端への変倍を行う（図１４の実線の矢印を参照）。また、第１レンズ群Ｇ71を光軸に沿って物体側から像面ＩＭＧ側へなだらかに移動させて、無限遠物体合焦状態から最至近距離物体合焦状態までのフォーカシングを行う（図１４中の破線の矢印を参照）。
【０２９４】
以下、実施例７にかかるズームレンズに関する各種数値データを示す。
【０２９５】
（面データ）
ｒ1＝36.110
ｄ1＝0.70    ｎｄ1＝1.88300    νｄ1＝40.80    ＰＣｔ1＝0.7381
ｒ2＝6.875
ｄ2＝3.49
ｒ3＝269.543
ｄ3＝0.50    ｎｄ2＝1.48749    νｄ2＝70.45    ＰＣｔ2＝0.8988
ｒ4＝14.782
ｄ4＝3.23
ｒ5＝-18.843（非球面）
ｄ5＝0.60    ｎｄ3＝1.62263    νｄ3＝58.16    ＰＣｔ3＝0.8464
ｒ6＝11.664
ｄ6＝3.36    ｎｄ4＝1.91082    νｄ4＝35.25    ＰＣｔ4＝0.7131
ｒ7＝-44.582
ｄ7＝D(7)（可変）
ｒ8＝∞（開口絞り）
ｄ8＝D(8)（可変）
ｒ9＝12.085（非球面）
ｄ9＝4.00    ｎｄ5＝1.59201    νｄ5＝67.02    ＰＣｔ5＝0.8499
ｒ10＝-19.491（非球面）
ｄ10＝1.36
ｒ11＝309.911
ｄ11＝0.50    ｎｄ6＝1.56883    νｄ6＝56.04    ＰＣｔ6＝0.8080
ｒ12＝10.063
ｄ12＝3.87    ｎｄ7＝1.49700    νｄ7＝81.65    ＰＣｔ7＝0.8305
ｒ13＝-13.895
ｄ13＝0.36
ｒ14＝929.336
ｄ14＝0.50    ｎｄ8＝1.91082    νｄ8＝35.25    ＰＣｔ8＝0.7131
ｒ15＝7.835
ｄ15＝3.77    ｎｄ9＝1.49700    νｄ9＝81.65    ＰＣｔ9＝0.8305
ｒ16＝-21.378
ｄ16＝D(16)（可変）
ｒ17＝-22.644（非球面）
ｄ17＝2.81    ｎｄ10＝1.82080    νｄ10＝42.71    ＰＣｔ10＝0.7536
ｒ18＝-9.159
ｄ18＝0.50    ｎｄ11＝1.91082    νｄ11＝35.25    ＰＣｔ11＝0.7131
ｒ19＝-14.459
ｄ19＝4.00
ｒ20＝∞
ｄ20＝0.50    ｎｄ12＝1.51680    νｄ12＝64.20    ＰＣｔ12＝0.8682
ｒ21＝∞
ｄ21＝ＢＦ
ｒ22＝∞（像面）
【０２９６】
円錐係数（ｋ）および非球面係数（Ａ，Ｂ，Ｃ，Ｄ，Ｅ）
（第５面）
ｋ＝0，
Ａ＝0，Ｂ＝1.62760×10-5，Ｃ＝-1.42083×10-6，
Ｄ＝6.60166×10-8，Ｅ＝-8.80582×10-10
（第９面）
ｋ＝0，
Ａ＝0，Ｂ＝-1.02549×10-4，Ｃ＝1.52216×10-6，
Ｄ＝-2.31244×10-8，Ｅ＝3.62557×10-10
（第１０面）
ｋ＝0，
Ａ＝0，Ｂ＝2.17744×10-4，Ｃ＝9.00649×10-7，
Ｄ＝-8.24436×10-9，Ｅ＝3.18041×10-10
（第１７面）
ｋ＝0，
Ａ＝0，Ｂ＝-3.48413×10-5，Ｃ＝-3.50512×10-8，
Ｄ＝0，Ｅ＝0
【０２９７】
（各種データ）
変倍比：1.88
広角端    中間焦点位置    望遠端
焦点距離（無限遠物体合焦状態）           4.42        5.82           8.33
Ｆナンバー                                  1.65        1.91           2.57
半画角（ω）                           64.86       47.51          32.69
像高                                    4.75        4.75           4.75
レンズ系全長                           57.42        53.69          52.09
バックフォーカス（ＢＦ）                   2.00         2.00            2.00
D(7)                                   10.06         6.33            4.73
D(8)                                    7.35         5.02           0.85
D(16)                                   3.95         6.28          10.45
【０２９８】
（ズームレンズ群データ）
群    始面      焦点距離      レンズ移動量（像面ＩＭＧ側を＋）
１      １        -8.74           5.33
２      ９        13.59           -6.50
３    １７        48.39            0.00
【０２９９】
（条件式（１）に関する数値）
｜ｆ１／ｆｗ｜＝1.98
【０３００】
（条件式（２）に関する数値）
ｆ２３ｗ（広角端における無限遠物体合焦状態の第２レンズ群Ｇ72と第３レンズ群Ｇ73との合成焦点距離）＝14.85
ｆ２３ｗ／ｆｗ＝3.36
【０３０１】
（条件式（３）に関する数値）
｜ｆ３／ｆｗ｜＝10.95
【０３０２】
（条件式（４）に関する数値）
｜ｆ２３ｗ／ｆ１｜＝1.70
【０３０３】
（条件式（５）に関する数値）
｜νｄ３Ｐ−νｄ３ｎ|＝7.5 
【０３０４】
（条件式（６）に関する数値）
νｄ２Ｐ＿ａｖｅ＝76.8
【０３０５】
（条件式（７）に関する数値）
ＰＣｔ＿２ｎ＿ｉ−（０．５４６＋０．００４６７×νｄ＿２ｎ＿ｉ）＝0.0025
【０３０６】
（条件式（８）に関する数値）
νｄ１ｐ＝35.3
【０３０７】
（条件式（９）に関する数値）
ＰＣｔ＿１ｎ＿ｉ−（０．５４６＋０．００４６７×νｄ＿１ｎ＿ｉ）＝0.0288
【０３０８】
（条件式（１０）に関する数値）
ＰＣｔ＿３ｎ＿ｉ−（０．５４６＋０．００４６７×νｄ＿３ｎ＿ｉ）＝0.0025
【０３０９】
（条件式（１１）に関する数値）
｜ｆ１／ｆ２｜＝0.64
【０３１０】
（条件式（１２）に関する数値）
｜Ｘ２／ｆ２|＝0.48
【０３１１】
（条件式（１３）に関する数値）
ｆ２３ｔ（望遠端における第２レンズ群Ｇ72と第３レンズ群Ｇ73との合成焦点距離）＝17.40
ｆ２３ｔ／ｆｔ＝2.09
【０３１２】
（条件式（１４）に関する数値）
｜ｆ３／ｆ２｜＝3.56
【０３１３】
図１５は、実施例７にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例８】
【０３１４】
図１６は、実施例８にかかるズームレンズの構成を示す光軸に沿う断面図である。同図は、レンズ系の広角端における無限遠物体合焦状態を示している。このズームレンズは、図示しない物体側から順に、負の屈折力を有する第１レンズ群Ｇ81と、正の屈折力を有する第２レンズ群Ｇ82と、負の屈折力を有する第３レンズ群Ｇ83と、が配置されて構成される。第１レンズ群Ｇ81と第２レンズ群Ｇ82との間には、所定の口径を規定する開口絞りＳＴＰが配置される。第３レンズ群Ｇ83と像面ＩＭＧとの間には、カバーガラスＣＧが配置される。
【０３１５】
第１レンズ群Ｇ81は、物体側から順に、負レンズＬ811と、負レンズＬ812と、負レンズＬ813と、正レンズＬ814と、が配置されて構成される。負レンズＬ813の物体側面には、非球面が形成されている。負レンズＬ813と正レンズＬ814とは、接合されている。
【０３１６】
第２レンズ群Ｇ82は、物体側から順に、正レンズＬ821と、負レンズＬ822と、正レンズＬ823と、負レンズＬ824と、正レンズＬ825と、が配置されて構成される。正レンズＬ821の両面には、非球面が形成されている。負レンズＬ822と正レンズＬ823とは、接合されている。負レンズＬ824と正レンズＬ825とは、接合されている。
【０３１７】
第３レンズ群Ｇ83は、物体側から順に、正レンズＬ831と、負レンズＬ832と、が配置されて構成される。正レンズＬ831の両面には、非球面が形成されている。
【０３１８】
このズームレンズは、開口絞りＳＴＰおよび第３レンズ群Ｇ83を像面ＩＭＧに対して固定したまま、第１レンズ群Ｇ81を光軸に沿って像面ＩＭＧ側に凸の軌跡を形成するように移動させ、第２レンズ群Ｇ82を光軸に沿って像面ＩＭＧ側から物体側へ移動させることによって、広角端から望遠端への変倍を行う（図１６の実線の矢印を参照）。また、第１レンズ群Ｇ81を光軸に沿って像面ＩＭＧ側に緩い凸の軌跡を形成するように移動させて、無限遠物体合焦状態から最至近距離物体合焦状態までのフォーカシングを行う（図１６中の破線の矢印を参照）。
【０３１９】
以下、実施例８にかかるズームレンズに関する各種数値データを示す。
【０３２０】
（面データ）
ｒ1＝21.133
ｄ1＝0.70    ｎｄ1＝1.63854    νｄ1＝55.45    ＰＣｔ1＝0.7991
ｒ2＝6.875
ｄ2＝2.69
ｒ3＝9.922
ｄ3＝0.50    ｎｄ2＝1.88300    νｄ2＝40.80    ＰＣｔ2＝0.7381
ｒ4＝6.150
ｄ4＝3.97
ｒ5＝-11.017（非球面）
ｄ5＝0.60    ｎｄ3＝1.62263    νｄ3＝58.16    ＰＣｔ3＝0.8464
ｒ6＝7.873
ｄ6＝1.74    ｎｄ4＝1.91082    νｄ4＝35.25    ＰＣｔ4＝0.7131
ｒ7＝67.749
ｄ7＝D(7)（可変）
ｒ8＝∞（開口絞り）
ｄ8＝D(8)（可変）
ｒ9＝11.518（非球面）
ｄ9＝4.00    ｎｄ5＝1.55332    νｄ5＝71.68    ＰＣｔ5＝0.8164
ｒ10＝-16.500（非球面）
ｄ10＝0.15
ｒ11＝32.578
ｄ11＝0.50    ｎｄ6＝1.88300    νｄ6＝40.80    ＰＣｔ6＝0.7381
ｒ12＝19.905
ｄ12＝3.90    ｎｄ7＝1.49700    νｄ7＝81.65    ＰＣｔ7＝0.8305
ｒ13＝-11.291
ｄ13＝0.15
ｒ14＝-238.272
ｄ14＝0.50    ｎｄ8＝1.80610    νｄ8＝40.73    ＰＣｔ8＝0.7464
ｒ15＝7.799
ｄ15＝4.36    ｎｄ9＝1.49700    νｄ9＝81.65    ＰＣｔ9＝0.8305
ｒ16＝-17.677
ｄ16＝D(16)（可変）
ｒ17＝-21.317（非球面）
ｄ17＝2.82    ｎｄ10＝1.49710    νｄ10＝81.56    ＰＣｔ10＝0.8349
ｒ18＝-9.150（非球面）
ｄ18＝0.30
ｒ19＝-8.426
ｄ19＝0.50    ｎｄ11＝1.90366    νｄ11＝31.32    ＰＣｔ11＝0.6968
ｒ20＝-13.212
ｄ20＝6.04
ｒ21＝∞
ｄ21＝0.50    ｎｄ12＝1.51680    νｄ12＝64.20    ＰＣｔ12＝0.8682
ｒ21＝∞
ｄ21＝ＢＦ
ｒ22＝∞（像面）
【０３２１】
円錐係数（ｋ）および非球面係数（Ａ，Ｂ，Ｃ，Ｄ，Ｅ）
（第５面）
ｋ＝0，
Ａ＝0，Ｂ＝-3.75950×10-5，Ｃ＝-1.72154×10-5，
Ｄ＝9.06529×10-7，Ｅ＝-2.94817×10-8
（第９面）
ｋ＝0，
Ａ＝0，Ｂ＝-1.77587×10-4，Ｃ＝2.23866×10-6，
Ｄ＝1.17470×10-8，Ｅ＝-1.15419×10-9
（第１０面）
ｋ＝0，
Ａ＝0，Ｂ＝3.51196×10-4，Ｃ＝1.23946×10-6，
Ｄ＝8.50737×10-8，Ｅ＝-1.85413×10-9
（第１７面）
ｋ＝0，
Ａ＝0，Ｂ＝2.94890×10-5，Ｃ＝1.18346×10-6，
Ｄ＝0，Ｅ＝0
（第１８面）
ｋ＝0，
Ａ＝0，Ｂ＝-4.83274×10-5，Ｃ＝-5.27841×10-8，
Ｄ＝0，Ｅ＝0
【０３２２】
（各種データ）
変倍比：1.88
広角端    中間焦点位置    望遠端
焦点距離（無限遠物体合焦状態）           4.43        5.83           8.35
Ｆナンバー                                  1.65        2.00           3.06
半画角（ω）                           65.46       47.68          32.57
像高                                    4.75        4.75           4.75
レンズ系全長                           48.26        47.11          48.05
バックフォーカス（ＢＦ）                2.00         2.00            2.00
D(7)                                    3.68         2.53            3.47
D(8)                                    7.47         5.14           0.85
D(16)                                   1.20         3.53           7.82
【０３２３】
（ズームレンズ群データ）
群    始面      焦点距離      レンズ移動量（像面ＩＭＧ側を＋）
１      １        -5.65           2.10
２      ９        10.41           -6.62
３    １７      -186.14            0.00
【０３２４】
（条件式（１）に関する数値）
｜ｆ１／ｆｗ｜＝1.27
【０３２５】
（条件式（２）に関する数値）
ｆ２３ｗ（広角端における無限遠物体合焦状態の第２レンズ群Ｇ82と第３レンズ群Ｇ83との合成焦点距離）＝10.96
ｆ２３ｗ／ｆｗ＝2.47
【０３２６】
（条件式（３）に関する数値）
｜ｆ３／ｆｗ｜＝41.97
【０３２７】
（条件式（４）に関する数値）
｜ｆ２３ｗ／ｆ１｜＝1.94
【０３２８】
（条件式（５）に関する数値）
｜νｄ３Ｐ−νｄ３ｎ|＝50.2
【０３２９】
（条件式（６）に関する数値）
νｄ２Ｐ＿ａｖｅ＝78.3
【０３３０】
（条件式（７）に関する数値）
ＰＣｔ＿２ｎ＿ｉ−（０．５４６＋０．００４６７×νｄ＿２ｎ＿ｉ）＝0.0102
【０３３１】
（条件式（８）に関する数値）
νｄ１ｐ＝35.3
【０３３２】
（条件式（９）に関する数値）
ＰＣｔ＿１ｎ＿ｉ−（０．５４６＋０．００４６７×νｄ＿１ｎ＿ｉ）＝0.0288
【０３３３】
（条件式（１０）に関する数値）
ＰＣｔ＿３ｎ＿ｉ−（０．５４６＋０．００４６７×νｄ＿３ｎ＿ｉ）＝0.0045
【０３３４】
（条件式（１１）に関する数値）
｜ｆ１／ｆ２｜＝0.54
【０３３５】
（条件式（１２）に関する数値）
｜Ｘ２／ｆ２|＝0.64
【０３３６】
（条件式（１３）に関する数値）
ｆ２３ｔ（望遠端における無限遠物体合焦状態の第２レンズ群Ｇ82と第３レンズ群Ｇ83との合成焦点距離）＝10.57
ｆ２３ｔ／ｆｔ＝1.27
【０３３７】
（条件式（１４）に関する数値）
｜ｆ３／ｆ２｜＝17.88
【０３３８】
図１７は、実施例８にかかるズームレンズの諸収差図である。球面収差図において、縦軸はＦナンバー（図中、ＦＮＯで示す）を表し、実線はｄ線（５８７．５６ｎｍ）、短破線はｇ線（４３５．８４ｎｍ）、長破線はＩＲ線（８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【０３３９】
なお、上記各実施例中の数値データにおいて、ｒ1，ｒ2，・・・・はレンズ面等の曲率半径、ｄ1，ｄ2，・・・・はレンズ等の肉厚またはそれらの面間隔、ｎｄ1，ｎｄ2，・・・・はレンズ等のｄ線（λ＝５８７．５６ｎｍ）に対する屈折率、νｄ1，νｄ2，・・・・はレンズ等のｄ線（λ＝５８７．５６ｎｍ）に対するアッベ数、ＰＣｔ1，ＰＣｔ2，・・・・はレンズ等のＣ線とｔ線に関する部分分散比を示している。そして、長さの単位はすべて「ｍｍ」、角度の単位はすべて「°」である。
【０３４０】
また、上記各非球面形状は、光軸に垂直な方向の高さをＨ、レンズ面頂を原点としたときの高さＨにおける光軸方向の変位量をＸ（Ｈ）、近軸曲率半径をＲ、円錐係数をｋ、２次，４次，６次，８次，１０次の非球面係数をそれぞれＡ，Ｂ，Ｃ，Ｄ，Ｅとし、光の進行方向を正とするとき、以下に示す式により表される。
【０３４１】
【数１】
0006696780.tif 000002
【０３４２】
上記各実施例に示したように、本発明によれば、上記各条件式を満足することにより、簡易な構成でありながら、大口径比で、高画素、高感度化が進んだ固体撮像素子に対応可能な高い光学性能を備え、特に可視光域から近赤外域までの広範な波長の光に対して発生する諸収差を全変倍域に亘って良好に補正することが可能な、小型のズームレンズを実現することができる。
【０３４３】
このような特徴を備えたズームレンズは、主に可視光域の光を用いる写真用のカメラはもとより、夜間撮影も行う監視カメラ等、様々な撮像装置に用いることができる。特に、高画素、高感度化が進んだ固体撮像素子を備えた撮像装置に好適である。
【０３４４】
＜適用例＞
次に、本発明にかかるズームレンズを撮像装置に適用した例を示す。図１８は、本発明にかかるズームレンズを備えた撮像装置の一例を示す図である。図１８に示すように、撮像装置１００は、ズームレンズ１０と、レンズ鏡筒２０と、固体撮像素子１０１と、を備えて構成される。ズームレンズ１０はレンズ鏡筒２０に収容され、図示しない駆動機構の駆動によって変倍やズーミングが実行される。なお、図１８では、ズームレンズ１０として実施例１（図２を参照）のものを示したが、実施例２〜８に示したズームレンズであっても同様に撮像装置１００に搭載可能である。
【０３４５】
ズームレンズ１０と固体撮像素子１０１とを備えた撮像装置１００において、図２に示した像面ＩＭＧが固体撮像素子１０１の撮像面に相当する。固体撮像素子１０１としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）センサなどの光電変換素子を用いることができる。
【０３４６】
撮像装置１００において、ズームレンズ１０の物体側から入射した光が最終的に固体撮像素子１０１の撮像面に結像する。そして、固体撮像素子１０１は受像した光を光電変換して電気信号として出力する。この出力信号が図示しない信号処理回路によって演算処理され、物体像に対応したデジタル画像が生成される。デジタル画像は、たとえばＨＤＤ（Ｈａｒｄ Ｄｉｓｋ Ｄｒｉｖｅ）やメモリカード、光ディスク、磁気テープなどの記録媒体に記録することが可能である。
【０３４７】
上記のように構成することで、可視光域から近赤外域までの広範な波長の光に対して発生する諸収差を全変倍域に亘って良好に補正することが可能になり、昼夜を問わず、良好な画像が得られる高性能の撮像装置を実現することができる。
【０３４８】
図１８では、本発明にかかるズームレンズを監視カメラに用いた例を示した。しかし、本発明にかかるズームレンズは、監視カメラのみならず、ビデオカメラ、デジタルスチルカメラ、一眼レフカメラ、ミラーレス一眼カメラ等に用いることも可能である。
【産業上の利用可能性】
【０３４９】
以上のように、本発明にかかるズームレンズは、ＣＣＤやＣＭＯＳ等の固体撮像素子が搭載された小型の撮像装置に有用であり、特に、高い光学性能を要求される撮像装置に適している。
【符号の説明】
【０３５０】
Ｇ11，Ｇ21，Ｇ31，Ｇ41，Ｇ51，Ｇ61，Ｇ71，Ｇ81  第１レンズ群
Ｇ12，Ｇ22，Ｇ32，Ｇ42，Ｇ52，Ｇ62，Ｇ72，Ｇ82  第２レンズ群
Ｇ13，Ｇ23，Ｇ33，Ｇ43，Ｇ53，Ｇ63，Ｇ73，Ｇ83  第３レンズ群
Ｌ111，Ｌ112，Ｌ113，Ｌ122，Ｌ124，Ｌ132，Ｌ211，Ｌ212，Ｌ222，Ｌ224，Ｌ232，Ｌ311，Ｌ312，Ｌ313，Ｌ322，Ｌ324，Ｌ332，Ｌ411，Ｌ412，Ｌ413，Ｌ422，Ｌ424，Ｌ432，Ｌ511，Ｌ512，Ｌ513，Ｌ522，Ｌ524，Ｌ532，Ｌ611，Ｌ612，Ｌ613，Ｌ622，Ｌ624，Ｌ632，Ｌ711，Ｌ712，Ｌ713，Ｌ722，Ｌ724，Ｌ732，Ｌ811，Ｌ812，Ｌ813，Ｌ822，Ｌ824，Ｌ832  負レンズ
Ｌ114，Ｌ121，Ｌ123，Ｌ125，Ｌ131，Ｌ213，Ｌ221，Ｌ223，Ｌ225，Ｌ231，Ｌ314，Ｌ321，Ｌ323，Ｌ325，Ｌ331，Ｌ414，Ｌ421，Ｌ423，Ｌ425，Ｌ431，Ｌ514，Ｌ521，Ｌ523，Ｌ525，Ｌ531，Ｌ614，Ｌ621，Ｌ623，Ｌ625，Ｌ631，Ｌ714，Ｌ721，Ｌ723，Ｌ725，Ｌ731，Ｌ814，Ｌ821，Ｌ823，Ｌ825，Ｌ831  正レンズ
ＳＴＰ  開口絞り
ＣＧ  カバーガラス
ＩＭＧ  像面
１０  ズームレンズ
２０  レンズ鏡筒
１００  撮像装置
１０１  固体撮像素子
【図１】
0006696780.tif 000003
【図２】
0006696780.tif 000004
【図３】
0006696780.tif 000005
【図４】
0006696780.tif 000006
【図５】
0006696780.tif 000007
【図６】
0006696780.tif 000008
【図７】
0006696780.tif 000009
【図８】
0006696780.tif 000010
【図９】
0006696780.tif 000011
【図１０】
0006696780.tif 000012
【図１１】
0006696780.tif 000013
【図１２】
0006696780.tif 000014
【図１３】
0006696780.tif 000015
【図１４】
0006696780.tif 000016
【図１５】
0006696780.tif 000017
【図１６】
0006696780.tif 000018
【図１７】
0006696780.tif 000019
【図１８】
0006696780.tif 000020